(57)【要約】  いくつかの実施形態によれば、無線ネットワークにおけるモビリティについての無線リソース管理（ＲＲＭ）測定を実施する無線デバイスにおいて使用するための方法が、接続モードでモビリティ信号を測定するための測定設定を取得することを含む。測定設定は参照信号タイプを含む。参照信号タイプは、複数の可能な参照信号タイプ（たとえば、ＰＳＳ、ＳＳＳ、ＤＭＲＳ、ＣＳＩ−ＲＳ）のうちの参照信号の特定のタイプを示す。方法は、示されたタイプの参照信号を測定するように無線デバイスを設定することと、示されたタイプの参照信号を受信することと、測定設定に従って参照信号を測定することとをさらに含む。【選択図】図１５
2019537903.tif 000002
【特許請求の範囲】
【請求項１】
無線ネットワークにおけるモビリティについての無線リソース管理（ＲＲＭ）測定を実施する無線デバイスにおいて使用するための方法であって、
接続モードでモビリティ信号を測定するための測定設定を取得すること（１６１２）であって、前記測定設定が参照信号タイプを含み、前記参照信号タイプが、複数の可能な参照信号タイプのうちの参照信号の特定のタイプを示す、測定設定を取得すること（１６１２）と、
示された前記参照信号タイプの参照信号を測定するように前記無線デバイスを設定すること（１６１４）と、
示された前記参照信号タイプの前記参照信号を受信すること（１６１６）と、
前記測定設定に従って前記参照信号を測定すること（１６１８）と
を含む、方法。
【請求項２】
前記複数の可能な参照信号タイプが、アクティブモードモビリティ信号（ＭＲＳ）と、アイドルモード同期信号とを含む、請求項１に記載の方法。
【請求項３】
前記ＭＲＳがチャネル状態インジケータ参照信号（ＣＳＩ−ＲＳ）を含む、請求項２に記載の方法。
【請求項４】
前記アイドルモード同期信号が、プライマリ同期信号（ＰＳＳ）、セカンダリ同期信号（ＳＳＳ）、および復調用参照信号（ＤＭＲＳ）のうちの少なくとも１つを含む、請求項２に記載の方法。
【請求項５】
前記測定設定が、前記アイドルモード同期信号の非ビームフォーミングまたはワイドビーム受信のための設定を含む、請求項１から４のいずれか一項に記載の方法。
【請求項６】
前記測定設定が、前記アイドルモード同期信号のビームスイープ受信のための設定を含む、請求項１から４のいずれか一項に記載の方法。
【請求項７】
前記測定設定が、前記ＭＲＳのビームスイープ受信のための設定を含む、請求項１から４のいずれか一項に記載の方法。
【請求項８】
前記ＭＲＳがビーム識別子を含む、請求項７に記載の方法。
【請求項９】
前記ＭＲＳがセル識別子をさらに含む、請求項８に記載の方法。
【請求項１０】
受信された前記参照信号に基づく測定報告をネットワークノードに送ること（１６２０）と、
ハンドオーバを実施すること（１６２２）と
をさらに含む、請求項１から９のいずれか一項に記載の方法。
【請求項１１】
接続モードでモビリティ信号を測定するための第２の測定設定を取得すること（１６１２）であって、前記第２の測定設定が第２の参照信号タイプを含み、前記第２の参照信号タイプが、前記複数の可能な参照信号タイプのうちの参照信号の特定のタイプを示す、第２の測定設定を取得すること（１６１２）と、
示された前記第２の参照信号タイプの参照信号を測定するように前記無線デバイスを設定すること（１６１４）と、
示された前記第２の参照信号タイプの前記参照信号を受信すること（１６１６）と、
前記第２の測定設定に従って前記参照信号を測定すること（１６１８）と
をさらに含む、請求項１から１０のいずれか一項に記載の方法。
【請求項１２】
無線ネットワークにおけるモビリティについての無線リソース管理（ＲＲＭ）測定を実施することが可能な無線デバイス（１１０）であって、
接続モードでモビリティ信号を測定するための測定設定を取得することであって、前記測定設定が参照信号タイプを含み、前記参照信号タイプが、複数の可能な参照信号タイプのうちの参照信号の特定のタイプを示す、測定設定を取得することと、
示された前記参照信号タイプの参照信号を測定するように前記無線デバイスを設定することと、
示された前記参照信号タイプの前記参照信号を受信することと、
前記測定設定に従って前記参照信号を測定することと
を行うように動作可能な処理回路要素（１１２０）を備える、無線デバイス（１１０）。
【請求項１３】
前記複数の可能な参照信号タイプが、アクティブモードモビリティ信号（ＭＲＳ）と、アイドルモード同期信号とを含む、請求項１２に記載の無線デバイス。
【請求項１４】
前記ＭＲＳがチャネル状態インジケータ参照信号（ＣＳＩ−ＲＳ）を含む、請求項１３に記載の無線デバイス。
【請求項１５】
前記アイドルモード同期信号が、プライマリ同期信号（ＰＳＳ）、セカンダリ同期信号（ＳＳＳ）、および復調用参照信号（ＤＭＲＳ）のうちの少なくとも１つを含む、請求項１３に記載の無線デバイス。
【請求項１６】
前記測定設定が、前記アイドルモード同期信号の非ビームフォーミングまたはワイドビーム受信のための設定を含む、請求項１２から１５のいずれか一項に記載の無線デバイス。
【請求項１７】
前記測定設定が、前記アイドルモード同期信号のビームスイープ受信のための設定を含む、請求項１２から１５のいずれか一項に記載の無線デバイス。
【請求項１８】
前記測定設定が、前記ＭＲＳのビームスイープ受信のための設定を含む、請求項１２から１５のいずれか一項に記載の無線デバイス。
【請求項１９】
前記ＭＲＳがビーム識別子を含む、請求項１８に記載の無線デバイス。
【請求項２０】
前記ＭＲＳがセル識別子をさらに含む、請求項１９に記載の無線デバイス。
【請求項２１】
前記処理回路要素が、
受信された前記参照信号に基づく測定報告をネットワークノード（１２０）に送ることと、
ハンドオーバを実施することと
を行うようにさらに動作可能である、請求項１２から２０のいずれか一項に記載の無線デバイス。
【請求項２２】
前記処理回路要素は、
接続モードでモビリティ信号を測定するための第２の測定設定を取得することであって、前記第２の測定設定が第２の参照信号タイプを含み、前記第２の参照信号タイプが、前記複数の可能な参照信号タイプのうちの参照信号の特定のタイプを示す、第２の測定設定を取得することと、
示された前記第２の参照信号タイプの参照信号を測定するように前記無線デバイスを設定することと、
示された前記第２の参照信号タイプの前記参照信号を受信することと、
前記第２の測定設定に従って前記参照信号を測定することと
を行うようにさらに動作可能である、請求項１２から２１のいずれか一項に記載の無線デバイス。
【請求項２３】
無線ネットワークにおけるモビリティについての参照信号を測定するように無線デバイスを設定するネットワークノードにおいて使用するための方法であって、
接続モードでモビリティ信号を測定するための測定設定を取得すること（１７１２）であって、前記測定設定が参照信号タイプを含み、前記参照信号タイプが、複数の可能な参照信号タイプのうちの参照信号の特定のタイプを示す、測定設定を取得すること（１７１２）と、
前記測定設定を無線デバイスに送信すること（１７１４）と、
示された前記参照信号タイプの前記参照信号を送信すること（１７１６）と
含む、方法。
【請求項２４】
前記複数の可能な参照信号タイプが、アクティブモードモビリティ信号（ＭＲＳ）と、アイドルモード同期信号とを含む、請求項２３に記載の方法。
【請求項２５】
前記ＭＲＳがチャネル状態インジケータ参照信号（ＣＳＩ−ＲＳ）を含む、請求項２４に記載の方法。
【請求項２６】
前記アイドルモード同期信号が、プライマリ同期信号（ＰＳＳ）、セカンダリ同期信号（ＳＳＳ）、および復調用参照信号（ＤＭＲＳ）のうちの少なくとも１つを含む、請求項２４に記載の方法。
【請求項２７】
前記測定設定が、前記アイドルモード同期信号の非ビームフォーミングまたはワイドビーム送信のための設定を含む、請求項２２から２６のいずれか一項に記載の方法。
【請求項２８】
前記測定設定が、前記アイドルモード同期信号のビームスイープ送信のための設定を含む、請求項２２から２６のいずれか一項に記載の方法。
【請求項２９】
前記測定設定が、前記ＭＲＳのビームスイープ送信のための設定を含む、請求項２２から２６のいずれか一項に記載の方法。
【請求項３０】
前記ＭＲＳがビーム識別子を含む、請求項２９に記載の方法。
【請求項３１】
前記ＭＲＳがセル識別子をさらに含む、請求項３０に記載の方法。
【請求項３２】
前記無線デバイスから測定報告を受信すること（１７１８）と、
前記無線デバイスのためにハンドオーバを実施すること（１７２０）と
をさらに含む、請求項２２から３１のいずれか一項に記載の方法。
【請求項３３】
接続モードでモビリティ信号を測定するための第２の測定設定を取得すること（１７１２）であって、前記第２の測定設定が第２の参照信号タイプを含み、前記第２の参照信号タイプが、前記複数の可能な参照信号タイプのうちの参照信号の特定のタイプを示す、第２の測定設定を取得すること（１７１２）と、
前記第２の測定設定を無線デバイスに送信すること（１７１４）と、
示された前記第２の参照信号タイプの第２の参照信号を送信すること（１７１６）と
をさらに含む、請求項２２から３２のいずれか一項に記載の方法。
【請求項３４】
無線ネットワークにおけるモビリティについての参照信号を測定するように無線デバイス（１１０）を設定することが可能なネットワークノード（１２０）であって、
接続モードでモビリティ信号を測定するための測定設定を取得することであって、前記測定設定が参照信号タイプを含み、前記参照信号タイプが、複数の可能な参照信号タイプのうちの参照信号の特定のタイプを示す、測定設定を取得することと、
前記測定設定を無線デバイスに送信することと、
示された前記参照信号タイプの前記参照信号を送信することと
を行うように動作可能な処理回路要素を備える、ネットワークノード（１２０）。
【請求項３５】
前記複数の可能な参照信号タイプが、アクティブモードモビリティ信号（ＭＲＳ）と、アイドルモード同期信号とを含む、請求項３４に記載のネットワークノード。
【請求項３６】
前記ＭＲＳがチャネル状態インジケータ参照信号（ＣＳＩ−ＲＳ）を含む、請求項３５に記載のネットワークノード。
【請求項３７】
前記アイドルモード同期信号が、プライマリ同期信号（ＰＳＳ）、セカンダリ同期信号（ＳＳＳ）、および復調用参照信号（ＤＭＲＳ）のうちの少なくとも１つを含む、請求項３５に記載のネットワークノード。
【請求項３８】
前記測定設定が、前記アイドルモード同期信号の非ビームフォーミングまたはワイドビーム送信のための設定を含む、請求項３４から３７のいずれか一項に記載のネットワークノード。
【請求項３９】
前記測定設定が、前記アイドルモード同期信号のビームスイープ送信のための設定を含む、請求項３４から３７のいずれか一項に記載のネットワークノード。
【請求項４０】
前記測定設定が、前記ＭＲＳのビームスイープ送信のための設定を含む、請求項３４から３７のいずれか一項に記載のネットワークノード。
【請求項４１】
前記ＭＲＳがビーム識別子を含む、請求項４０に記載のネットワークノード。
【請求項４２】
前記ＭＲＳがセル識別子をさらに含む、請求項４１に記載のネットワークノード。
【請求項４３】
前記処理回路要素が、
前記無線デバイスから測定報告を受信することと、
前記無線デバイスのためにハンドオーバを実施することと
を行うようにさらに動作可能である、請求項３４から４２のいずれか一項に記載のネットワークノード。
【請求項４４】
前記処理回路要素が、
接続モードでモビリティ信号を測定するための第２の測定設定を取得することであって、前記第２の測定設定が第２の参照信号タイプを含み、前記第２の参照信号タイプが、前記複数の可能な参照信号タイプのうちの参照信号の特定のタイプを示す、第２の測定設定を取得することと、
前記第２の測定設定を無線デバイスに送信することと、
示された前記第２の参照信号タイプの第２の参照信号を送信することと
を行うようにさらに動作可能である、請求項３４から４３のいずれか一項に記載のネットワークノード。
【請求項４５】
無線ネットワークにおけるモビリティについての無線リソース管理（ＲＲＭ）測定を実施することが可能な無線デバイス（１１０）であって、前記無線デバイスが、取得モジュール（１１５０）と、受信モジュール（１１５２）と、測定モジュール（１１５６）とを備え、
前記取得モジュールは、接続モードでモビリティ信号を測定するための測定設定を取得することであって、前記測定設定が参照信号タイプを含み、前記参照信号タイプが、複数の可能な参照信号タイプのうちの参照信号の特定のタイプを示す、測定設定を取得することを行うように動作可能であり、
前記測定モジュールが、示された前記参照信号タイプの参照信号を測定するように前記無線デバイスを設定するように動作可能であり、
前記受信モジュールが、示された前記参照信号タイプの前記参照信号を受信するように動作可能であり、
前記測定モジュールが、前記測定設定に従って前記参照信号を測定するようにさらに動作可能である、
無線デバイス（１１０）。
【請求項４６】
無線ネットワークにおけるモビリティについての参照信号を測定するように無線デバイス（１１０）を設定することが可能なネットワークノード（１２０）であって、前記ネットワークノードが、取得モジュール（１２５０）と送信モジュール（１２５４）とを備え、
前記取得モジュールは、接続モードでモビリティ信号を測定するための測定設定を取得することであって、前記測定設定が参照信号タイプを含み、前記参照信号タイプが、複数の可能な参照信号タイプのうちの参照信号の特定のタイプを示す、測定設定を取得することを行うように動作可能であり、
前記送信モジュールが、
前記測定設定を無線デバイスに送信することと、
示された前記参照信号タイプの前記参照信号を送信することと
を行うように動作可能である、
ネットワークノード（１２０）。
【発明の詳細な説明】
【技術分野】
【０００１】
本開示のいくつかの実施形態は、一般に、無線通信に関し、より詳細には、アクティブモードモビリティ（ＡＭＭ：ａｃｔｉｖｅ  ｍｏｄｅ  ｍｏｂｉｌｉｔｙ）測定のための信号設定に関する。
【背景技術】
【０００２】
一般的な無線（ｗｉｒｅｌｅｓｓ）、セルラー、または無線（ｒａｄｉｏ）通信ネットワークにおいて、移動局、端末、および／またはユーザ機器（ＵＥ）としても知られる、無線デバイスが、無線アクセスネットワーク（ＲＡＮ：Ｒａｄｉｏ−Ａｃｃｅｓｓ  Ｎｅｔｗｏｒｋ）を介して１つまたは複数のコアネットワークと通信する。ＲＡＮは、セルに分割される地理的エリアをカバーする。各セルは、基地局（たとえば、無線基地局（ＲＢＳ：ｒａｄｉｏ  ｂａｓｅ  ｓｔａｔｉｏｎ）、あるいは、いくつかのネットワークでは、たとえば、「ノードＢ」、「ｅノードＢ」、または「ｅＮＢ」と呼ばれることもあるネットワークノード）によってサーブされる。セルは、アンテナと無線基地局とがコロケートされない場合、基地局サイトまたはアンテナサイトにある無線基地局によって無線カバレッジが与えられる、地理的エリアである。１つの無線基地局は、１つまたは複数のセルをサーブし得る。
【０００３】
ＵＥが無線通信システムに初期に接続するとき、たとえば、電源投入後、または拡大されたスリープ期間の後に起動するとき、ＵＥは初期アクセスプロシージャを経る。プロシージャの第１のステップは、一般に、ＵＥが、ネットワークアクセスノードによって定期的にブロードキャストされる同期信号を探索および検出することである。正常な時間周波数整合の後に、ＵＥは、ネットワークからの追加情報（たとえば、システム情報）をリッスンし、および／または（しばしば物理ランダムアクセスチャネル（ＰＲＡＣＨ）メッセージと呼ばれる）ネットワークに加わりたいとの要求で応答し得る。加わりたいとの要求が、システムにおける他の送信と競合することがあるので、ＵＥは、一般に、恣意的な時間においてその要求を送ることを許容されない。そうではなく、ＵＥは、ダウンリンク信号が受信された後のあらかじめ規定された時間間隔において、要求を送る。一例が図１に示されている。
【０００４】
図１は、例示的な初期アクセスプロシージャを示すブロック図である。水平軸は時間を表す。図示の例は、５Ｇのための１つの可能な初期アクセスシーケンスである。ＵＥは、少なくとも同期を与えるシグネチャシーケンス（ＳＳ：ｓｉｇｎａｔｕｒｅ  ｓｅｑｕｅｎｃｅ）信号１０と、関連するシステム情報ブロック（ＭＩＢ：ｓｙｓｔｅｍ  ｉｎｆｏｒｍａｔｉｏｎ  ｂｌｏｃｋ）１２とを検出し、ＭＩＢ１２は、ＳＳ１０とともに、ＰＲＡＣＨプロシージャを介してシステムにアクセスするための必須のシステム情報を与える。受信されたＳＳ＋ＭＩＢは、追加のシステム情報をアクセス情報テーブル（ＡＩＴ）１４または他のシステムブロードキャスト送信から取り出すためのインデックスとして使用され得る。
【０００５】
別のＵＥ特徴は、アイドルモードモビリティ（ｉｄｌｅ  ｍｏｄｅ  ｍｏｂｉｌｉｔｙ）と呼ばれることがある。一例として、初期アクセス信号は、一般に、アイドルモードでのＵＥ制御されたモビリティのために、ＵＥによって使用されることもある。ＵＥは、ＳＳおよび場合によっては他の関連する信号を使用して、いくつかのセルに対するリンク品質を比較する。別のセルに対するリンク品質が、前に最良のセルよりも良好になる場合、ＵＥは、新しいセルに対するランダムアクセス（ＲＡ）プロシージャを実施し、たとえば、ページングシグナリングの目的で新しいセルに登録し得る。そのプロシージャは、セル再選択と呼ばれることがある。
【０００６】
いくつかのネットワークは、ビームベースシステムを含む。現代のセルラーシステム、たとえば、５Ｇ  ＮＲシステムは、データ送信のために大きいアンテナアレイをもつ高度アンテナシステムを使用し得る。そのようなアンテナアレイの場合、いくつかの方向における信号強度を増加させ、および／またはいくつかの方向における干渉を低減するために、データ信号がナロービーム中で送信され得る。ナロービームを使用することが、リンク品質を改善し、空間分離を可能にし、ユーザ間の干渉を低減し得る。アレイを使用することは、高周波展開において十分なリンク品質を保証し、ここで、個々のアンテナエレメント開口は、小さく、十分な信号エネルギーを個々にキャプチャしない。それらのエレメントをコヒーレントに整合することが、ある方向における有効なビーム利得およびビーム指向性を与える。
【０００７】
ビームフォーミング（ｂｅａｍｆｏｒｍｉｎｇ）を用いた大きいアレイは、アクセスノード（ＡＮ）と固有のＵＥとの間でデータを送信するときに利益を与え得、それにより、ブロードキャストシステム情報分配が複雑になる。いくつかの場合には、大きいアレイからの広いビームを設定することが可能である場合でも、ＵＥにおける信号強度は不十分であり得、長期コヒーレント累積が必要とされ得る。そのような累積の程度は、ＵＥ局部発振器（ＬＯ）安定性と、チャネルコヒーレンス時間とによって限定される。したがって、５Ｇにおけるブロードキャスト情報（ＡＩＴ、ＭＩＢ、およびＳＳ）は、いくつかの場合には、少なくともより高い周波数の展開において、ビームスイーピング（ｂｅａｍ  ｓｗｅｅｐｉｎｇ）を使用して送信され得る。
【０００８】
別のＵＥ特徴は、アクティブモードモビリティと呼ばれることがある。アクティブモードでは、移動するＵＥの接続は、ＵＥがネットワークにおける異なるセルカバレッジエリアにわたって移動するとき、シームレスにハンドオーバされる。ハンドオーバは、ＵＥの進行中の接続をあるノード（たとえば、サービングノード）から別のノード（たとえば、ターゲットノード）に、またはあるセルから同じノード内の別のセルに転送するプロセスである。ハンドオーバは、透過的なサービスまたはサービス継続性をより大きいエリア上で与える。ハンドオーバは、データの損失なしに、好ましくは、中断なしに起こるべきである。
【０００９】
ｌｏｎｇ  ｔｅｒｍ  ｅｖｏｌｕｔｉｏｎ（ＬＴＥ）のようなレガシーセルベースシステムは、モビリティ測定のためにセル固有参照信号（ＣＲＳ：ｃｅｌｌ−ｓｐｅｃｉｆｉｃ  ｒｅｆｅｒｅｎｃｅ  ｓｉｇｎａｌ）を使用する。ＣＲＳは、システムにおけるＵＥの存在または位置にかかわらず、バンド幅全体上で、常時オン様式ですべてのネイバーセル中でブロードキャストされる。ＣＲＳは、測定しやすく、一貫した結果をもたらしやすいが、静的ＣＲＳシグナリングが、ダウンリンクにおける高いリソース使用、電力消費、および一定のセル間干渉生成をもたらす。すべての基地局は、基地局自体のセルおよびネイバーセル中のＵＥが、ターゲットセル品質を推定するために使用するパイロット信号を連続的に送信する。これは、ＧＳＭ（ＢＣＣＨ）、ＷＣＤＭＡ（ＣＰＩＣＨ）においても、およびＷｉＦｉ（ビーコン）においても真である。各ＵＥは、いくつかの報告条件が満足されるとき（周期的またはイベントベース）、周期的測定を実施し、測定結果をネットワークに報告する。サービングセル品質が別の候補セルの電力に近づいていることが検出された場合、より詳細な測定プロセスまたはハンドオーバプロシージャが、始動され得る。
【００１０】
原則として、初期アクセス信号（ＳＳおよび他の関連する信号）は、十分なレートで送信された場合、アクティブモードモビリティ測定のためにも使用され得る。それらは、測定報告をネットワークに返す目的で、候補セルに関してリンク品質を推定することを容易にする。
【００１１】
現代のビームベースシステムでは、サービングノード識別情報およびターゲットノード識別情報は、ノード間ハンドオーバ中にシームレス接続を維持するためにもはや十分でない。ネイバリング基地局におけるナロービーム間のハンドオーバ管理が必要になり、サービング基地局も、自身のセル内でビーム切替えまたはビーム更新が必要であるかどうかを判定する必要がある。したがって、サービングリンクは、事実上、基地局がそれを通してＵＥと現在通信しているビームであり得、それがハンドオーバするかまたは切り替える先のビームは、ターゲットリンクになる。
【００１２】
新しい無線（ＮＲ）のようなビームベースシステムでは、過度の静的ダウンリンク参照信号を回避することが、望ましい。代わりに、ネットワークは、関係する候補ビーム中でのみ、ＵＥ固有様式でのモビリティ参照信号（ＭＲＳ：ｍｏｂｉｌｉｔｙ  ｒｅｆｅｒｅｎｃｅ  ｓｉｇｎａｌ）をオンにし得る。これは、ネットワークが、ＵＥのためのビーム更新が必要とされ得ると決定したとき（たとえば、減少するサービングビーム品質が検出されたとき）に行われる。各アクティブ化されたビームは、タイミング同期構成要素（ＴＳＳ：ｔｉｍｉｎｇ  ｓｙｎｃｈｒｏｎｉｚａｔｉｏｎ  ｃｏｍｐｏｎｅｎｔ）を含んでいるＭＲＳを送信し、ＴＳＳの内容は、すべてのビームおよびビーム識別情報構成要素（ＢＲＳ：ｂｅａｍ  ｉｄｅｎｔｉｔｙ  ｃｏｍｐｏｎｅｎｔ）に共通であり得、ＢＲＳは、ビーム識別情報を搬送し、ビーム固有である。
【００１３】
ビームベースシステムは、様々なＭＲＳ測定および報告ストラテジーを使用し得る。ＬＴＥのようなネットワークにおいて、ＵＥは、受信されたサンプルストリームをＭＲＳの存在について連続的に監視していることがある。何らかのイベント基準が満たされた（たとえば、しきい値を上回る信号品質をもつＭＲＳが検出された）とき、ＵＥは、受信されたＭＲＳ  ＩＤおよび信号品質をネットワークに報告し得る。報告は、モビリティ判定のために、およびネイバーまたはビーム解像度レベルにおける自動ネイバー関係（ＡＮＲ：ａｕｔｏｍａｔｉｃ  ｎｅｉｇｈｂｏｒ  ｒｅｌａｔｉｏｎ）データベースを構築するために使用され得る。
【００１４】
代替５Ｇスタイルネットワークにおいて、ネットワークは、（たとえば、劣化するサービングリンク品質、またはモビリティ測定を始動するための別の理由が、識別されたとき）制御シグナリングを介して測定コマンドを送信することによって、ＭＲＳ測定をトリガする。測定コマンドは、報告命令と、いくつかの場合には、測定すべきＭＲＳの明示的リストとを含んでいることがある。サービングおよび／または他の候補ネイバーは、アップリンク中で測定報告を受信するためのアップリンクリソースを予約する。
【００１５】
ＬＴＥなど、レガシー無線アクセス技術（ＲＡＴ）およびネットワークにおいて、アクティブモードモビリティ（ＡＭＭ）参照信号および測定フレームワークは固定されており、信号の同じセットが、すべての展開および動作シナリオにおいて使用される。古いモデルに続いて、新しい規格は、たとえば、ＵＥの存在にかかわらず送信される常時オンアイドルモード信号に依拠する、静的なモビリティ参照信号フレームワークを選定することができる。そのようなフレームワークは、概念的に単純であるが、すべてのモビリティ参照信号の絶え間ない送信により、エネルギーまたはリソース効率的ではない。
【００１６】
ＬＴＥにおいて、たとえば、セル固有ＲＳ（ＣＲＳ）が、すべてのサブフレーム中でおよびバンド幅全体にわたって送信される。ＬＴＥにおけるアイドルＵＥが、セルＩＤを符号化するＰＳＳ／ＳＳを検出すると、ＵＥは、各セルについてのＣＲＳに基づいてＬＴＥセルを選択／再選択する。ＵＥが（たとえば、ＵＥがキャンプオンしていたセルに接続した後に）接続状態（ｃｏｎｎｅｃｔｅｄ  ｓｔａｔｅ）にあると、ＵＥは、アイドルモードで使用されたのと同じ信号を介してセルを検出し続け、同じリソース（すなわち、すべてのサブフレームおよびバンド全体上）中で同じく送信された同じＣＲＳに基づいて、ＲＲＭ測定を実施する。要約すれば、ＬＴＥ  ＵＥは、アイドルモードにあるのか接続モード（Ｃｏｎｎｅｃｔｅｄ  ｍｏｄｅ）にあるのかにかかわらず、同じ静的な様式で（すなわち、セルセクタ中で）送信された、ＲＲＭ測定を実施するための同じ参照信号、すなわちＣＲＳを測定する。
【００１７】
ＮＲなどのビームベースシステムでは、特により高い周波数（ＨＦ）で（たとえば、６ＧＨｚを上回って）動作しているとき、追加の問題が存在し得る。ＬＴＥにおいて、アイドルＵＥは、その同期信号、ＰＳＳ／ＳＳＳによって規定される最良のセルにキャンプオンする。ＰＳＳ／ＳＳＳを検出し、ＰＳＳ／ＳＳＳと同期すると、ＵＥは、セルＩＤ（ＰＣＩ）を知り、システム情報を収集し、セルにアクセスすることが可能である。
【００１８】
ＬＴＥにおけるＰＳＳ／ＳＳＳは、５ミリ秒（ｍｓ）ごとに送信される。そのことは、たとえば、ＵＥが、５ｍｓの恣意的に配置された時間ウィンドウ内のＰＳＳ／ＳＳＳを探索することによって、ネイバーセルを検出および測定し得ることを保証する。しかしながら、５ＧＨｚバンド中の未ライセンススペクトル動作の場合、そのような頻繁な送信は、送信すべきユーザデータを基地局が有しないときは許容できない。同様に、Ｒｅｌ−１２において導入されたスモールセルオン／オフ（Ｓｍａｌｌ−Ｃｅｌｌ−Ｏｎ／Ｏｆｆ）特徴は、ＵＥがセルを検出および測定するために使用する、４０、８０または１６０ｍｓごとに循環する発見参照信号（ＤＲＳ：Ｄｉｓｃｏｖｅｒｙ−Ｒｅｆｅｒｅｎｃｅ−Ｓｉｇｎａｌ）を規定する。ＵＥが、セルからのデータをアクティブに送信または受信していないとき、中間ＰＳＳ／ＳＳＳオケージョンが抑制される。
【００１９】
低減された干渉に加えて、疎な（ｓｐａｒｓｅ）送信は、ネットワークがエネルギー効率のために長い間欠送信（ＤＴＸ：ｄｉｓｃｏｎｔｉｎｕｏｕｓ  ｔｒａｎｓｍｉｓｓｉｏｎ）サイクルを適用することを可能にし得、これは、低いトラフィックアクティビティ（たとえば、すべてのセルの９０％における時間の９０％）をもつ状況の場合、特に重要である。ＮＲは、アイドルモードプロシージャをサポートするための信号の疎な送信を含み得る。たとえば、ＴＲ３８．９１３（Ｓｔｕｄｙ  ｏｎ  Ｓｃｅｎａｒｉｏｓ  ａｎｄ  Ｒｅｑｕｉｒｅｍｅｎｔｓ  ｆｏｒ  Ｎｅｘｔ  Ｇｅｎｅｒａｔｉｏｎ  Ａｃｃｅｓｓ  Ｔｅｃｈｎｏｌｏｇｉｅｓ）は、ＮＲについてのネットワークエネルギー効率に関係する要件および設計ターゲットを含んでいる。ＮＲにおけるシステム情報分配に関して、システム情報ブロードキャストは、（たとえば、長いＤＴＸ持続時間による）ネットワーク効率を可能にする設定を許容するべきである。
【００２０】
したがって、アイドルモードプロシージャをサポートするために主に送信される信号の周期性は、長いＤＴＸ持続時間（たとえば、１００ｍｓ）を許容するように設定可能であるべきである。アイドルモード同期信号「ｘＳＳ」は、信号のうちの１つ（ならびに最小のブロードキャスされるシステム情報）である。同時に、セル選択、セル再選択、システム情報収集および初期アクセスなど、アイドルモードプロシージャは、依然として、ＮＲ要件を満たすことが可能であるべきである。したがって、ＮＲプロシージャは、（ｘＳＳなどの）アイドルモード動作をサポートする信号が、長いＤＴＸサイクル（たとえば、１００ｍｓ）をもつ設定を許容するという仮定の下で設計されるべきである。
【００２１】
接続モードでは、いくつかのハンドオーバシナリオは、ＵＥが、（サービングセルと緊密に同期されていない限り）ネイバーセルと同期することと、ＲＲＭ測定を実施し、適時の測定報告をトリガすることとの両方を可能にするために、良好なハンドオーバ性能を保証するための（１つまたは複数の）信号の頻繁な送信を必要とする。ＬＴＥにおいて、これは、５ｍｓ周期性をもつＰＳＳ／ＳＳＳの送信と、すべてのサブフレーム中で送信されるセル固有参照信号（ＣＲＳ）とによって達成される。
【００２２】
ＬＴＥの場合のように、接続モードにあるＮＲ  ＵＥは、同じく、ＲＲＣ駆動型モビリティをサポートするために、ネイバーＴＲＰ／セルと同期することと、ＲＲＭ測定を実施し、適時の測定報告をトリガすることとを必要とする。接続モードでは、アクティブＵＥの存在が、ネットワークに長いＤＴＸサイクルを無効にさせるので、ネットワークエネルギー効率の懸念は、前に説明された場合とは同じでない。したがって、ＲＲＣ駆動型モビリティをサポートするための参照信号の送信は、ｘＳＳと比べて、これらが異なる信号であると仮定すると、ｘＳＳよりも頻繁であり得る。接続モード同期信号（「ＲＳ」）は、より頻繁に送信される必要があり得る。
【００２３】
ＬＴＥにおける別のプロパティは、サービングおよびネイバーセルのＰＳＳ／ＳＳＳ／ＣＲＳのＳＩＮＲが、ＵＥの受信機のダイナミックレンジ中にある場合、接続されたＵＥは、サービングセルと同じキャリア周波数においてネイバーセルを検出することが可能であることである。追加の要件は、ＵＥが測定することを意図する参照信号を隠さないために、サービングおよびネイバーセルのデータ送信がダイナミックレンジ内でなければならないことである。ＬＴＥにおいて、これは、データチャネルが、大規模ビームフォーミングを受けず、したがって、それらのＳＩＮＲが、ＰＳＳ／ＳＳＳ／ＣＲＳのＳＩＮＲと同様であるので、当てはまる。ＬＴＥにおいて、ＵＥは、ＵＥが、データ／制御チャネルを復号することができるのと同時に、ネイバーセルを検出し、ネイバーセルの測定を実施することが可能である。
【００２４】
ＮＲは、（拡大されたカバレッジ、増加されたセルエッジスループット、および改善された能力を与えるために）アナログビームフォーミングとデジタルビームフォーミングの両方をサポートする高度アンテナの完全な使用を可能にし得る。したがって、アクティブモードにあるＵＥのデータチャネルは、常に、特に高周波展開において、高利得ビームフォーミングを用いて送信され得る。データ信号と同期信号との同時受信を可能にするために、それらの信号は、同様の電力でＵＥにおいて受信されなければならない。より正確には、両方の信号の受信電力は、ＵＥ受信側のダイナミックレンジ内に入らなければならない。一例が図２に示されている。
【００２５】
図２は、ＵＥ受信機のダイナミックレンジ内のデータ信号および同期信号の受信電力を示すチャートである。垂直軸は受信電力を表す。ＮＲにおいて、データ／制御チャネルがビームフォーミングされるとき、ＲＲＣ駆動型モビリティをサポートするために（すなわち、同期を与え、ＲＲＭ測定を可能にするために）使用される参照信号も、ビームフォーミングされるものとする。
【００２６】
要約すれば、ネットワークエネルギー効率が、同期信号（たとえば、ＰＳＳ／ＳＳＳ）など、アイドル動作をサポートする信号の疎な送信から利益を得る。ハンドオーバをサポートするためにＲＲＭ測定を実施するためのネイバー検出が、（ＲＲＣ駆動型モビリティの場合）参照信号のビームフォーミングから利益を得る。
【００２７】
ＮＲのための１つの可能な提案は、ビームフォーミングが接続モードで必要とされるとき、アイドルモードでもビームフォーミングを使用することである。たとえば、（たとえば、データチャネルも、ビームフォーミングしているとき）接続モードにある信号のために、高利得ビームフォーミングが使用されることが必要とされるとき、ならびに、ＵＥが（ＵＴＲＡＮにおける圧縮モードでのように）測定を実施するように設定されるにすぎない、送信ギャップを規定するのを回避するために、（接続された）参照信号、アイドルモード動作をサポートする信号、およびシステム情報は、ＲＲＣ駆動型モビリティの問題を解決するために同じやり方でビームスイーピングをも使用するべきである。
【００２８】
この提案に関する問題は、これが、（ビームごとの、および多くのナロービーム中で送信される）システム情報オーバーヘッドを増加させることと、（たとえば、適切なＲＲＣ駆動型モビリティソリューションを可能にするためのシステム情報のＳＦＮ送信を介した）エネルギー効率に関するさらなる拡張を無効にすることとである。言い換えれば、これらの懸念は、分離されないことがある。モビリティのためにより多くのビームが設定される必要がある場合、要求がまったく異なり得るにもかかわらず、初期アクセスのために同じ数が設定される必要がある。アイドルモードでは、信号が、ＰＲＡＣＨカバレッジを改善するためにより長い間隔およびよりワイドなビーム中でスイープされ得るが、接続モードでは、より粒状のビームが必要とされ得る。
【００２９】
別の提案は、別様におよび異なる周期性を用いて参照信号がビームフォーミングされ得るように、アイドルモードおよび接続モードで異なる参照信号を使用することである。たとえば、この提案は、アクティブＵＥがサーブされる必要があるときにのみ送信される、（同期信号ＰＳＳ／ＳＳＳなどの）アイドルモード動作をサポートする信号への追加の信号として、接続モード動作（たとえば、ハンドオーバ）をサポートするためのＲＲＭ測定のための参照信号を規定し得る。そうすることによって、ネットワークは、アイドルモード動作と接続モード動作とを独立してサポートする信号の周期性を調整し、アイドルモード動作および接続モード動作をサポートする信号の異なるビーム設定から恩恵を受けることが可能である。たとえば、それにより、（アイドルモードで使用される）最小システム情報を搬送する物理ブロードキャストチャネル（ＰＢＣＨ）の単一ビーム送信を可能にするが、ＲＲＣベースモビリティをサポートするために接続モードでＲＲＭ測定のために使用される参照信号のためのマルチビーム送信をも可能になる。
【００３０】
この提案は、接続されたＵＥによって使用される参照信号をマルチビーム様式で送信するが、アイドルモードをサポートする信号を単一ビーム様式で送信することによって、ダイナミックレンジ問題点に対処する可能性を可能にする（ＳＦＮ送信の可能性がシステム情報オーバーヘッドを低減することを可能にする）。
【００３１】
（本明細書ではしばしばモビリティ参照信号（ＭＲＳ）と呼ばれる）追加のビームフォーミングされた参照信号は、少なくともビームＩＤを符号化し得、ＵＥはビームＩＤを使用して、同じものの複数のオケージョン上でＲＲＭ測定を実施し、ビームごとのＲＲＭ測定をサービングＴＲＰに報告し、サービングＴＲＰが、ＵＥが接続することができる固有のビームに関連するハンドオーバコマンドを送ることを可能にし得る。いくつかの例が、図３〜図６に示されている。
【００３２】
図３は、ｘＳＳおよびシステム情報の単一ビーム送信のブロック図である。水平軸は時間を表す。図示の例では、単一のビーム同期信号１６が、１００ｍｓの間隔で送信される。
【００３３】
図４は、ｘＳＳおよびシステム情報の単一ビーム送信と、モビリティ参照信号のビームスイーピング送信とのブロック図である。図示の例は、アクティブＵＥを含むエリアにおいて、モビリティ参照信号１８を送信するためにビームスイーピングが使用されることを除いて、図３と同様である。
【００３４】
図５は、ｘＳＳおよびシステム情報のビームスイーピング送信を示すブロック図である。図示の例は、ビームスイーピングを使用して同期信号１６が送信されることを除いて、図３と同様である。
【００３５】
図６は、ｘＳＳ、システム情報、およびモビリティ参照信号のビームスイーピング送信を示すブロック図である。図示の例は、ビームスイーピングを使用して同期信号１６が送信されることを除いて、図４と同様である。ビームスイーピング設定は、同期信号１６およびモビリティ参照信号１８について異なり得る。
【００３６】
そのフレキシビリティにもかかわらず、この提案の欠点は、これが、接続モードＵＥについてのＲＲＭ測定のために使用される追加の参照信号を導入することであり、その導入は、アイドルモード動作をサポートするために使用される信号（たとえば、ＰＳＳ／ＳＳＳ）への追加のオーバーヘッドを表す。さらに、信号が高利得でビームフォーミングされ、および／またはより高い頻度で送信され得るように、新しい信号が導入される。しかしながら、いくつかのシナリオでは、ＰＳＳ／ＳＳＳ周期性は、（たとえば、長いＤＴＸがそれほど多くのエネルギーを節約しないスモールセル中で）極めて頻繁である。他のシナリオでは、ＵＥへのビームフォーミング利得はあまり高くなく、その結果、ＵＥが接続モードにある間、ＲＲＭ測定を実施するためにワイドビームが検出され、使用され得る。高利得ビームフォーミングの場合でも、ＵＥトラフィックのバースト的性質が、周波数内ＲＲＭ測定のためにさえ送信ビームフォーミングギャップの使用を容易にし得るというシナリオもある。
【００３７】
ＮＲなどの５Ｇネットワークにおいて、異なる展開の範囲は広く、その範囲は、１ＧＨｚから１００ＧＨｚまでの周波数範囲、および地方のマクロネットワークからＵＤＮまでの展開の範囲をカバーする。特に、広範囲のモビリティシナリオおよびセルごとのＵＥの数が、あるＡＭＭが効率的であるかどうか、およびそのＡＭＭがどのように機能するかを決定する。単一のおよび固定されたＡＭＭ手法が、すべての展開およびシナリオにおいて最適なＡＭＭ性能を与えるとは限らない。したがって、効率および性能を保証するために、ＡＭＭ参照信号および測定フレームワークを選択するためのよりフレキシブルな手法が必要である。
【発明の概要】
【００３８】
いくつかの実施形態によれば、無線ネットワークにおけるモビリティについての無線リソース管理（ＲＲＭ）測定を実施する無線デバイスにおいて使用するための方法が、接続モードでモビリティ信号を測定するための測定設定を取得することを含む。測定設定は参照信号タイプを含む。参照信号タイプは、複数の可能な参照信号タイプ（たとえば、ＰＳＳ、ＳＳＳ、ＤＭＲＳ、ＣＳＩ−ＲＳ）のうちの参照信号の特定のタイプを示す。方法は、示されたタイプの参照信号を測定するように無線デバイスを設定することと、示されたタイプの参照信号を受信することと、測定設定に従って参照信号を測定することとをさらに含む。
【００３９】
特定の実施形態では、複数の可能な参照信号タイプは、アクティブモードモビリティ信号（ＭＲＳ）と、アイドルモード同期信号とを含む。ＭＲＳはチャネル状態インジケータ参照信号（ＣＳＩ−ＲＳ：ｃｈａｎｎｅｌ  ｓｔａｔｅ  ｉｎｄｉｃａｔｏｒ  ｒｅｆｅｒｅｎｃｅ  ｓｉｇｎａｌ）を含み得る。アイドルモード同期信号は、プライマリ同期信号（ＰＳＳ）、セカンダリ同期信号（ＳＳＳ）、および復調用参照信号（ＤＭＲＳ）のうちの少なくとも１つを含み得る。
【００４０】
特定の実施形態では、測定設定は、アイドルモード同期信号の非ビームフォーミング（ｎｏｎ−ｂｅａｍｆｏｒｍｅｄ）またはワイドビーム受信のための設定を含む。測定設定は、アイドルモード同期信号のビームスイープ（ｂｅａｍ−ｓｗｅｐｔ）受信のための設定を含み得る。測定設定は、ＭＲＳのビームスイープ受信のための設定を含み得る。ＭＲＳは、ビーム識別子および／またはセル識別子を含み得る。
【００４１】
特定の実施形態では、方法は、受信された参照信号に基づく測定報告をネットワークノードに送ることと、ハンドオーバを実施することとをさらに含む。方法は、接続モードでモビリティ信号を測定するための第２の測定設定を取得することを含み得る。第２の測定設定は第２の参照信号タイプを含む。第２の参照信号タイプは、複数の可能な参照信号タイプのうちの参照信号の特定のタイプを示す。方法は、示された第２の参照信号タイプの参照信号を測定するように無線デバイスを設定することと、示された第２の参照信号タイプの参照信号を受信することと、第２の測定設定に従って参照信号を測定することとをさらに含み得る。
【００４２】
いくつかの実施形態によれば、無線デバイスが、無線ネットワークにおけるモビリティについてのＲＲＭ測定を実施することが可能である。無線デバイスは、接続モードでモビリティ信号を測定するための測定設定を取得するように動作可能な処理回路要素を備える。測定設定は参照信号タイプを含む。参照信号タイプは、複数の可能な参照信号タイプのうちの参照信号の特定のタイプを示す。処理回路要素は、示された参照信号タイプの参照信号を測定するように無線デバイスを設定することと、示された参照信号タイプの参照信号を受信することと、測定設定に従って参照信号を測定することとを行うようにさらに動作可能である。
【００４３】
特定の実施形態では、複数の可能な参照信号タイプは、アクティブモードＭＲＳと、アイドルモード同期信号とを含む。ＭＲＳはＣＳＩ−ＲＳを含み得る。アイドルモード同期信号は、ＰＳＳ、ＳＳＳ、およびＤＭＲＳのうちの少なくとも１つを含み得る。
【００４４】
特定の実施形態では、測定設定は、アイドルモード同期信号の非ビームフォーミングまたはワイドビーム受信のための設定を含み得る。測定設定は、アイドルモード同期信号のビームスイープ受信のための設定を含む。測定設定は、ＭＲＳのビームスイープ受信のための設定を含み得る。ＭＲＳは、ビーム識別子および／またはセル識別子を含み得る。
【００４５】
特定の実施形態では、処理回路要素は、受信された参照信号に基づく測定報告をネットワークノードに送ることと、ハンドオーバを実施することとを行うようにさらに動作可能である。処理回路要素は、接続モードでモビリティ信号を測定するための第２の測定設定を取得するようにさらに動作可能であり得る。第２の測定設定は第２の参照信号タイプを含む。第２の参照信号タイプは、複数の可能な参照信号タイプのうちの参照信号の特定のタイプを示す。処理回路要素は、示された第２の参照信号タイプの参照信号を測定するように無線デバイスを設定することと、示された第２の参照信号タイプの参照信号を受信することと、第２の測定設定に従って参照信号を測定することとを行うようにさらに動作可能である。
【００４６】
いくつかの実施形態によれば、無線ネットワークにおけるモビリティについての参照信号を測定するように無線デバイスを設定するネットワークノードにおいて使用するための方法が、接続モードでモビリティ信号を測定するための測定設定を取得することを含む。測定設定は参照信号タイプを含む。参照信号タイプは、複数の可能な参照信号タイプのうちの参照信号の特定のタイプを示す。方法は、測定設定を無線デバイスに送信することと、示された参照信号タイプの参照信号を送信することとをさらに含む。
【００４７】
特定の実施形態では、複数の可能な参照信号タイプは、アクティブモードＭＲＳと、アイドルモード同期信号とを含む。ＭＲＳはＣＳＩ−ＲＳを含み得る。アイドルモード同期信号は、ＰＳＳ、ＳＳＳ、およびＤＭＲＳのうちの少なくとも１つを含み得る。
【００４８】
特定の実施形態では、測定設定は、アイドルモード同期信号の非ビームフォーミングまたはワイドビーム受信のための設定を含み得る。測定設定は、アイドルモード同期信号のビームスイープ受信のための設定を含む。測定設定は、ＭＲＳのビームスイープ受信のための設定を含み得る。ＭＲＳは、ビーム識別子および／またはセル識別子を含み得る。
【００４９】
特定の実施形態では、方法は、無線デバイスから測定報告を受信することと、無線デバイスのためにハンドオーバを実施することとをさらに含む。方法は、接続モードでモビリティ信号を測定するための第２の測定設定を取得することをさらに含み得る。第２の測定設定は第２の参照信号タイプを含む。第２の参照信号タイプは、複数の可能な参照信号タイプのうちの参照信号の特定のタイプを示す。方法は、第２の測定設定を無線デバイスに送信することと、示された第２の参照信号タイプの第２の参照信号を送信することとをさらに含む。
【００５０】
いくつかの実施形態によれば、ネットワークノードが、無線ネットワークにおけるモビリティについての参照信号を測定するように無線デバイスを設定することが可能である。ネットワークノードは、接続モードでモビリティ信号を測定するための測定設定を取得するように動作可能な処理回路要素を備える。測定設定は参照信号タイプを含む。参照信号タイプは、複数の可能な参照信号タイプのうちの参照信号の特定のタイプを示す。処理回路要素は、測定設定を無線デバイスに送信することと、示された参照信号タイプの参照信号を送信することとを行うようにさらに動作可能である。
【００５１】
特定の実施形態では、複数の可能な参照信号タイプは、アクティブモードＭＲＳと、アイドルモード同期信号とを含む。ＭＲＳはＣＳＩ−ＲＳを含み得る。アイドルモード同期信号は、ＰＳＳ、ＳＳＳ、およびＤＭＲＳのうちの少なくとも１つを含み得る。
【００５２】
特定の実施形態では、測定設定は、アイドルモード同期信号の非ビームフォーミングまたはワイドビーム受信のための設定を含み得る。測定設定は、アイドルモード同期信号のビームスイープ受信のための設定を含む。測定設定は、ＭＲＳのビームスイープ受信のための設定を含み得る。ＭＲＳは、ビーム識別子および／またはセル識別子を含み得る。
【００５３】
特定の実施形態では、処理回路要素は、無線デバイスから測定報告を受信することと、無線デバイスのためにハンドオーバを実施することとを行うようにさらに動作可能である。処理回路要素は、接続モードでモビリティ信号を測定するための第２の測定設定を取得するようにさらに動作可能である。第２の測定設定は第２の参照信号タイプを含む。第２の参照信号タイプは、複数の可能な参照信号タイプのうちの参照信号の特定のタイプを示す。処理回路要素は、第２の測定設定を無線デバイスに送信することと、示された第２の参照信号タイプの第２の参照信号を送信することとを行うようにさらに動作可能である。
【００５４】
いくつかの実施形態によれば、無線デバイスが、無線ネットワークにおけるモビリティについてのＲＲＭ測定を実施することが可能である。無線デバイスは、取得モジュールと、受信モジュールと、測定モジュールとを備える。取得モジュールは、接続モードでモビリティ信号を測定するための測定設定を取得するように動作可能である。測定設定は参照信号タイプを含む。参照信号タイプは、複数の可能な参照信号タイプのうちの参照信号の特定のタイプを示す。測定モジュールは、示された参照信号タイプの参照信号を測定するように無線デバイスを設定するように動作可能である。受信モジュールは、示された参照信号タイプの参照信号を受信するように動作可能である。測定モジュールは、測定設定に従って参照信号を測定するようにさらに動作可能である。
【００５５】
いくつかの実施形態によれば、ネットワークノードが、無線ネットワークにおけるモビリティについての参照信号を測定するように無線デバイスを設定することが可能である。ネットワークノードは、取得モジュールと送信モジュールとを備える。取得モジュールは、接続モードでモビリティ信号を測定するための測定設定を取得するように動作可能である。測定設定は参照信号タイプを含む。参照信号タイプは、複数の可能な参照信号タイプのうちの参照信号の特定のタイプを示す。送信モジュールは、測定設定を無線デバイスに送信することと、示された参照信号タイプの参照信号を送信することとを行うように動作可能である。
【００５６】
コンピュータプログラム製品も開示される。コンピュータプログラム製品は、非一時的コンピュータ可読媒体に記憶された命令を備え、それらの命令は、プロセッサによって実行されたとき、接続モードでモビリティ信号を測定するための測定設定を取得するステップと、示されたタイプの参照信号を測定するように無線デバイスを設定するステップと、示されたタイプの参照信号を受信するステップと、測定設定に従って参照信号を測定するステップとを実施する。
【００５７】
別のコンピュータプログラム製品は、非一時的コンピュータ可読媒体に記憶された命令を備え、それらの命令は、プロセッサによって実行されたとき、接続モードでモビリティ信号を測定するための測定設定を取得するステップと、測定設定を無線デバイスに送信するステップと、示された参照信号タイプの参照信号を送信するステップとを実施する。
【００５８】
本開示のいくつかの実施形態は、１つまたは複数の技術的利点を与え得る。たとえば、いくつかの実施形態は、必要とされるアクティブモードモビリティ（ＡＭＭ）性能レベルを維持しながら、リソース使用が効率的であるように、展開および使用シナリオパラメータに応じて、ＡＭＭ参照信号（ＲＳ）および測定を設定することを容易にし得る。他の利点は、当業者にとって容易に利用可能であり得る。いくつかの実施形態は、具陳された利点のいずれをも有しないか、いくつかを有するか、またはすべてを有し得る。
【００５９】
実施形態ならびにそれらの特徴および利点のより完全な理解のために、次に、添付の図面とともに、以下の説明が参照される。
【図面の簡単な説明】
【００６０】
【図１】例示的な初期アクセスプロシージャを示すブロック図である。
【図２】ＵＥ受信機のダイナミックレンジ内のデータ信号および同期信号の受信電力を示すチャートである。
【図３】ｘＳＳおよびシステム情報の単一ビーム送信のブロック図である。
【図４】ｘＳＳおよびシステム情報の単一ビーム送信と、モビリティ参照信号のビームスイーピング送信とのブロック図である。
【図５】ｘＳＳおよびシステム情報のビームスイーピング送信を示すブロック図である。
【図６】ｘＳＳ、システム情報、およびモビリティ参照信号のビームスイーピング送信を示すブロック図である。
【図７】特定の実施形態による、例示的な無線ネットワークを示すブロック図である。
【図８】いくつかの実施形態による、ビームスイーピングのために使用されるＭＲＳシンボルを示すブロック図である。
【図９】いくつかの実施形態による、ＭＲＳに関連して送信されるＣＩＤを示すブロック図である。
【図１０】いくつかの実施形態による、ＭＲＳに関連して送信されるＣＩＤの別の例を示すブロック図である。
【図１１】いくつかの実施形態による、ＰＤＣＨ中で送信されるＣＩＤを示すブロック図である。
【図１２】特定の実施形態による、ワイドビーム中で送信されるアイドルモードと接続モードの両方をサポートする信号の一例の図である。
【図１３】特定の実施形態による、ナロービーム中で送信されるアイドルモードと接続モードの両方をサポートする信号の一例の図である。
【図１４】特定の実施形態による、ナロービーム中で送信される接続モードをサポートする信号のあるグループと、ワイドビーム中で送信されるアイドルモードをサポートする信号の別のグループとの一例の図である。
【図１５】特定の実施形態による、ナロービーム中で送信される接続モードをサポートする信号のあるグループと、ワイドビーム中で送信されるアイドルモードをサポートする信号の別のグループとの別の例の図である。
【図１６】いくつかの実施形態による、無線デバイスにおける例示的な方法の流れ図である。
【図１７】いくつかの実施形態による、ネットワークノードにおける例示的な方法の流れ図である。
【図１８Ａ】無線デバイスの例示的な実施形態を示すブロック図である。
【図１８Ｂ】無線デバイスの例示的な構成要素を示すブロック図である。
【図１９Ａ】ネットワークノードの例示的な実施形態を示すブロック図である。
【図１９Ｂ】ネットワークノードの例示的な構成要素を示すブロック図である。
【図２０Ａ】コアネットワークノードの例示的な実施形態を示すブロック図である。
【図２０Ｂ】コアネットワークノードの例示的な構成要素を示すブロック図である。
【発明を実施するための形態】
【００６１】
序論で説明されたように、第３世代パートナーシッププロジェクト（３ＧＰＰ）第５世代（５Ｇ）新しい無線（ＮＲ）ネットワークは、アイドルモードで使用される同期信号とは対照的に、アクティブまたは接続モードにあるユーザ機器（ＵＥ）のための改善されたモビリティ参照信号（ＭＲＳ）から恩恵を受け得る。
【００６２】
本明細書で説明される特定の実施形態は、上記で説明された問題を除去し、ネットワークが、接続モードにあるＵＥを、異なる基準に基づいて接続モードにおけるＬ３モビリティをサポートする異なる信号を使用して動作するように設定し得る方法を含む。特定の実施形態は、ネットワークが、ＵＥを、アイドルモード動作のために使用される同期信号および／または参照信号（たとえば、ＮＲ−ＰＳＳ／ＮＲ−ＳＳＳ）を接続モードで使用するか、あるいは接続モードＵＥのための追加の動的に設定可能な信号を使用して動作するかのいずれかを行うように設定することからなる。
【００６３】
本明細書で説明されるＬ３モビリティのためのサポートが、（たとえば、データ検出のための）接続モードでの同期収集、Ｌ３測定報告中で送信され得るモビリティイベントをトリガし得るセルベースおよび／またはビームベース無線リソース管理（ＲＲＭ）測定、ならびに／あるいは、ハンドオーバコマンドを受信すると（ＰＲＡＣＨプリアンブル送信を介して）接続すべきネイバーリンクに関連する同期参照などのプロシージャを含む。接続モードＵＥが測定するように設定され得る、信号のいくつかの例は、以下を含む。（ａ）接続されたＵＥが、セルレベルＲＲＭ測定を実施することができるように設定された、（アイドルモード動作のために主に使用される）同期信号（ＳＳ）の非ビームフォーミング（またはワイドビーム）送信、（ｂ）ＵＥが、異なるビームに関するフィルタ処理された測定値に基づいてセルベースＲＲＭ測定を実施するように設定された、（アイドルモード動作のために主に使用される）同期信号（ＳＳ）のビームスイープ送信、（ｃ）ＵＥが、異なるビームに関するフィルタ処理された測定値に基づいてビームベースＲＲＭ測定を実施するような、モビリティ参照信号（ＭＲＳ）およびまたはビームＩＤを搬送する任意の他のビーム固有参照信号（ＢＲＳ：ｂｅａｍ−ｓｐｅｃｉｆｉｃ  ｒｅｆｅｒｅｎｃｅ  ｓｉｇｎａｌ）のビームスイープ送信、ならびに（ｄ）ＵＥが、異なるビームに関するフィルタ処理された測定値に基づいてセルレベルＲＲＭ測定を実行する場合、セルごとのビームグループを形成する、ビームＩＤおよびセルＩＤを搬送するＭＲＳのビームスイープ送信。
【００６４】
設定は、周波数バンド（サブ６ＧＨｚ、６〜１５ＧＨｚ、２８〜６０ＧＨｚなど）またはキャリア周波数、サイト展開タイプ（マクロ／ピコ）、予想されるモビリティ特質（屋外／屋内、都市／郊外／地方）、計画されたユーザ密度などを含み得る、ネットワーク展開パラメータに基づいて選択され得る。設定は、さらに、現在の使用シナリオパラメータ（たとえば、現在システム内にいるユーザの数）に基づいて選択され得る。ＵＥは、無線リソース制御（ＲＲＣ）シグナリングなど、制御シグナリングを介して、選定された設定に従って測定および報告するように設定される。
【００６５】
以下の説明は、多数の具体的な詳細を記載する。ただし、実施形態は、これらの具体的な詳細なしに実施され得ることを理解されたい。他の事例では、よく知られている回路、構造および技法は、この説明の理解を不明瞭にしないために詳細に示されていない。当業者は、含まれた説明を用いて、過度の実験なしに適切な機能性を実装することが可能になる。
【００６６】
「一実施形態」、「実施形態」、「例示的な実施形態」などへの本明細書における言及は、説明される実施形態が、特定の特徴、構造、または特性を含み得ることを示すが、あらゆる実施形態が、必ずしも、特定の特徴、構造、または特性を含むとは限らないことがある。その上、そのような句は必ずしも同じ実施形態を指しているとは限らない。さらに、特定の特徴、構造、または特性が実施形態に関して説明されるとき、明示的に説明されるか否かにかかわらず、他の実施形態に関してそのような特徴、構造、または特性を実装することは当業者の知識内にあることが具申される。
【００６７】
特定の実施形態が、図面の図７〜図２０Ｂを参照しながら説明され、同様の数字が、様々な図面の同様の部分および対応する部分のために使用されている。例示的なセルラーシステムとして本開示全体にわたってＬＴＥおよびＮＲが使用されるが、本明細書で提示されるアイデアは、同様に他の無線通信システムに適用され得る。
【００６８】
図７は、特定の実施形態による、例示的な無線ネットワークを示すブロック図である。無線ネットワーク１００は、（モバイルフォン、スマートフォン、ラップトップコンピュータ、タブレットコンピュータ、ＭＴＣデバイス、または無線通信を与えることができる任意の他のデバイスなどの）１つまたは複数の無線デバイス１１０と、（基地局またはｅノードＢなどの）複数のネットワークノード１２０とを含む。ネットワークノード１２０は、（セル１１５とも呼ばれる）カバレッジエリア１１５をサーブする。
【００６９】
概して、無線ネットワークノード１２０のカバレッジ内（たとえば、ネットワークノード１２０によってサーブされるセル１１５内）にある無線デバイス１１０は、無線信号１３０を送信および受信することによって、無線ネットワークノード１２０と通信する。たとえば、無線デバイス１１０および無線ネットワークノード１２０は、ボイストラフィック、データトラフィック、および／または制御信号を含んでいる無線信号１３０を通信し得る。ボイストラフィック、データトラフィック、および／または制御信号を無線デバイス１１０に通信するネットワークノード１２０は、無線デバイス１１０のためのサービングネットワークノード１２０と呼ばれることがある。
【００７０】
いくつかの実施形態では、無線デバイス１１０は、「ＵＥ」という非限定的な用語で呼ばれることがある。ＵＥは、無線信号を介してネットワークノードまたは別のＵＥと通信することが可能な、任意のタイプの無線デバイスを含み得る。ＵＥは、無線通信デバイス、ターゲットデバイス、デバイスツーデバイス（Ｄ２Ｄ）ＵＥ、マシン型ＵＥまたはマシンツーマシン通信（Ｍ２Ｍ）が可能なＵＥ、ＵＥを装備したセンサー、ｉＰＡＤ、タブレット、モバイル端末、スマートフォン、ラップトップ埋込み機器（ＬＥＥ）、ラップトップ搭載機器（ＬＭＥ）、ＵＳＢドングル、顧客構内機器（ＣＰＥ：Ｃｕｓｔｏｍｅｒ  Ｐｒｅｍｉｓｅｓ  Ｅｑｕｉｐｍｅｎｔ）などを含み得る。
【００７１】
いくつかの実施形態では、ネットワークノード１２０は、基地局、無線基地局、基地トランシーバ局、基地局コントローラ、ネットワークコントローラ、エボルブドノードＢ（ｅＮＢ）、ノードＢ、ｇＮＢ、マルチＲＡＴ基地局、マルチセル／マルチキャスト協調エンティティ（ＭＣＥ）、リレーノード、アクセスポイント、無線アクセスポイント、リモートラジオユニット（ＲＲＵ）、リモート無線ヘッド（ＲＲＨ）、コアネットワークノード（たとえば、ＭＭＥ、ＳＯＮノード、協調ノードなど）、さらには外部ノード（たとえば、サードパーティノード、現在のネットワークの外部のノード）などの任意のタイプのネットワークノードを含み得る。
【００７２】
無線信号１３０は、（無線ネットワークノード１２０から無線デバイス１１０への）ダウンリンク送信と（無線デバイス１１０から無線ネットワークノード１２０への）アップリンク送信の両方を含み得る。無線信号１３０は、プライマリ同期信号（ＰＳＳ）およびセカンダリ同期信号（ＳＳＳ）など、同期信号を含み得る。無線信号は、チャネル状態インジケータ参照信号（ＣＳＩ−ＲＳ）など、参照信号を含み得る。
【００７３】
各ネットワークノード１２０は、無線信号１３０を無線デバイス１１０に送信するための単一の送信機または複数の送信機を有し得る。いくつかの実施形態では、ネットワークノード１２０は、多入力多出力（ＭＩＭＯ）システムを備え得る。同様に、各無線デバイス１１０は、ネットワークノード１２０から信号１３０を受信するための単一の受信機または複数の受信機を有し得る。
【００７４】
ネットワーク１００は、キャリアアグリゲーションを含み得る。たとえば、無線デバイス１１０は、ネットワークノード１２０ａとネットワークノード１２０ｂの両方によってサーブされ、ネットワークノード１２０ａとネットワークノード１２０ｂの両方と無線信号１３０を通信し得る。
【００７５】
いくつかの実施形態では、ネットワークノード１２５は、無線ネットワークコントローラ（ＲＮＣ）とインターフェースし得る。無線ネットワークコントローラは、ネットワークノード１２０を制御し得、いくつかの無線リソース管理機能、モビリティ管理機能、および／または他の好適な機能を与え得る。いくつかの実施形態では、無線ネットワークコントローラの機能は、ネットワークノード１２０に含まれ得る。無線ネットワークコントローラは、コアネットワークノード３２０など、コアネットワークノード（ＣＮ）とインターフェースし得る。
【００７６】
いくつかの実施形態では、無線ネットワークコントローラは、相互接続有線または無線ネットワークを介してコアネットワークノード３２０とインターフェースし得る。相互接続ネットワークは、オーディオ、ビデオ、信号、データ、メッセージ、または前述の任意の組合せを送信することが可能な相互接続システムを指し得る。相互接続ネットワークは、公衆交換電話網（ＰＳＴＮ）、パブリックまたはプライベートデータネットワーク、ローカルエリアネットワーク（ＬＡＮ）、メトロポリタンエリアネットワーク（ＭＡＮ）、ワイドエリアネットワーク（ＷＡＮ）、インターネット、有線または無線ネットワークなどのローカル、地域、またはグローバル通信またはコンピュータネットワーク、企業イントラネット、あるいはこれらの組合せを含む任意の他の好適な通信リンクの全部または一部分を含み得る。
【００７７】
いくつかの実施形態では、コアネットワークノード３２０は、無線デバイス１１０のための通信セッションの確立および様々な他の機能性を管理し得る。無線デバイス１１０は、非アクセス層レイヤを使用して、いくつかの信号をコアネットワークノード３２０と交換し得る。非アクセス層シグナリングでは、無線デバイス１１０とコアネットワークノード３２０との間の信号は、無線アクセスネットワークを通して透過的に受け渡され得る。いくつかの実施形態では、ネットワークノード１２０は、たとえば、Ｘ２インターフェースなど、ノード間インターフェースを介して１つまたは複数のネットワークノード１２０とインターフェースし得る。
【００７８】
無線デバイス１１０は、（たとえば、ネットワークノード１２０によってサーブされる）接続モードまたは（たとえば、ネットワークノード１２０によってサーブされない）アイドルモードにあり得る。接続モードでは、無線デバイス１１０は、ネットワークノード１２０ａによってサーブされるセル１１５ａ中のロケーションから、ネットワークノード１２０ｂによってサーブされるセル１１５ｂ中のロケーションまで進行し得る。ネットワークノード１２０ａは、無線デバイス１１０をネットワークノード１２０ｂにハンドオーバし得る。無線デバイス１１０は、無線デバイス１１０がネットワークノード１２０ａによってより良好にサーブされ得るのか、ネットワークノード１２０ｂによってより良好にサーブされ得るのかを決定するために、特定の参照信号を測定し得る。
【００７９】
特定の実施形態では、無線デバイス１１０は、無線ネットワーク１００におけるモビリティについての無線リソース管理（ＲＲＭ）測定を実施し得る。無線デバイス１１０は、接続モードでモビリティ信号を測定するための測定設定を取得し得る。測定設定は参照信号タイプを含み得る。参照信号タイプは、複数の可能な参照信号タイプ（たとえば、ＮＲ−ＰＳＳ／ＳＳＳ、ＣＳＩ−ＲＳ、ＤＭＲＳなど）のうちの参照信号の特定のタイプを示す。無線デバイス１１０は、示された参照信号タイプの参照信号を測定するようにそれ自体を設定し得る。無線デバイスは、示された参照信号タイプの参照信号を受信し、測定設定に従って参照信号を測定し得る。特定の実施形態では、測定設定は、信号の非ビームフォーミング受信、ワイドビーム受信、および／またはビームスイープ受信のための設定を含む。
【００８０】
いくつかの実施形態では、無線デバイス１１０は、受信された参照信号に基づく測定報告をネットワークノードに送り得る。無線デバイス１１０は、測定に基づいてハンドオーバを実施し得る。
【００８１】
特定の実施形態では、無線デバイス１１０は、第２の参照信号タイプのための測定設定を受信し得る。無線デバイス１１０は、第２のタイプの参照信号を受信および測定するために第２の設定を使用し得る。
【００８２】
ネットワークノード１２０は、無線ネットワーク１００におけるモビリティについての参照信号を測定するように無線デバイス１１０を設定することが可能である。ネットワークノード１２０は、接続モードでモビリティ信号を測定するための測定設定を取得する。測定設定は、上記で説明された参照信号タイプを含む。ネットワークノード１２０は、測定設定を無線デバイス１００に送信する。ネットワークノード１２０は、示された参照信号タイプの参照信号をも送信する。無線デバイスおよびネットワークノードに関する特定の例が、図８〜図１７に関してより詳細に説明される。
【００８３】
無線ネットワーク１００では、各無線ネットワークノード１２０は、ｌｏｎｇ  ｔｅｒｍ  ｅｖｏｌｕｔｉｏｎ（ＬＴＥ）、ＬＴＥアドバンスト、ＮＲ、ＵＭＴＳ、ＨＳＰＡ、ＧＳＭ、ｃｄｍａ２０００、ＷｉＭａｘ、ＷｉＦｉ、および／または他の好適な無線アクセス技術など、任意の好適な無線アクセス技術を使用し得る。無線ネットワーク１００は、１つまたは複数の無線アクセス技術の任意の好適な組合せを含み得る。例として、様々な実施形態は、いくつかの無線アクセス技術のコンテキスト内で説明され得る。しかしながら、本開示の範囲は、それらの例に限定されず、他の実施形態は、異なる無線アクセス技術を使用することができる。
【００８４】
上記で説明されたように、無線ネットワークの実施形態は、１つまたは複数の無線デバイスと、無線デバイスと通信することが可能な１つまたは複数の異なるタイプの無線ネットワークノードとを含み得る。無線ネットワークは、無線デバイス間の通信、または無線デバイスと（固定電話などの）別の通信デバイスとの間の通信をサポートするのに好適な任意の追加のエレメントをも含み得る。無線デバイスは、ハードウェアおよび／またはソフトウェアの任意の好適な組合せを含み得る。たとえば、特定の実施形態では、無線デバイス１１０など、無線デバイスは、図１８Ａに関して以下で説明される構成要素を含み得る。同様に、ネットワークノードは、ハードウェアおよび／またはソフトウェアの任意の好適な組合せを含み得る。たとえば、特定の実施形態では、ネットワークノード１２０など、ネットワークノードは、図１９Ａに関して以下で説明される構成要素を含み得る。コアネットワークノードは、ハードウェアおよび／またはソフトウェアの任意の好適な組合せを含み得る。たとえば、特定の実施形態では、コアネットワークノード３２０など、コアネットワークノードは、図２０Ａに関して以下で説明される構成要素を含み得る。
【００８５】
概して、ＡＭＭ設定を担うネットワーク制御ユニットが、知られている展開情報を、前に設定されたデータベースから取り出し、および／あるいは、現在のネットワーク使用情報を、たとえば、最近の数時間または数日中にネットワークアルゴリズムによって集められた最近の使用統計値から取り出す。ＡＭＭ設定を担うネットワーク制御ユニットは、物理ネットワークノードにおいてまたは仮想（クラウド）ノードにおいて実装され得る。
【００８６】
制御ユニットは、取り出されたパラメータに基づいて、好適なＡＭＭ設定を決定する。どの好ましい設定が、どの展開およびネットワーク使用パラメータに対応するかの多数の例が、以下で与えられる。制御ユニットは、ネットワークノード（たとえば、ｇＮＢ）を、所定のプロトコルに従ってＡＭＭ測定のための参照信号を送信し、ＵＥから測定報告を受信するように設定する。設定は、その信号電力がデータ電力よりも著しく低い参照信号を測定するために、測定ギャップを規定することを含み得る。デフォルトアイドルモード参照信号がＡＭＭ測定のために使用される場合、追加のＡＭＭ参照信号設定がないことがあるが、それにもかかわらずＡＭＭ報告設定があり得る。
【００８７】
制御ユニットは、１つまたは複数のＵＥを、選択されたＡＭＭ参照信号を測定し、選択されたプロシージャに従ってそれらを報告するように設定し得る。続けて、ネットワークは、選択された設定に従ってＡＭＭ参照信号を送信し、ＡＭＭ測定報告を受信し、（たとえば、レガシープロシージャに従って）ハンドオーバの必要を評価するために報告を使用し、任意の必要とされるハンドオーバを実施する。ＵＥに関して、それは、ネットワークによって与えられた測定、報告およびハンドオーバ再設定命令に従う。
【００８８】
特定の実施形態は、様々なタイプの信号に言及する。関係するアイドルモード信号の一例は、同期信号（ＳＳ）であり、ＳＳは、時間領域中で検出される初期時間／周波数同期のためのプライマリ同期信号（ＰＳＳ）と、周波数領域中で検出されるセカンダリ同期信号（ＳＳＳ）とを含む。ＳＳは、全体としてセルＩＤを符号化する。ＳＳは、通常、全方向的に送信されるか、またはワイドビーム中でスイープされる。しかしながら、ナロー高利得ビーム中でＳＳをスイープすることも、技術的に可能である。ＳＳは、固定周波数リソース中で送信される。ＳＳは、アイドルモード動作を主にサポートするように選定された周期性で永続的に存在する（常時オンである）。
【００８９】
ＡＭＭ固有参照信号の一例は、時間領域中で検出される初期時間／周波数同期のためのＴＳＳと、周波数領域中で検出されるＢＲＳとからなる、モビリティ参照信号（ＭＲＳ）である。追加の関連するフィールドが含まれ得る（たとえば、ＭＲＳへのセルＩＤの包含）。
【００９０】
ＭＲＳ信号は、２つのフィールド、本明細書ではＴＳＳと呼ばれる同期フィールドと、本明細書ではＢＲＳと呼ばれるリンク（セルまたはビーム）識別情報フィールドとからなる。２つのフィールドは、単一のＯＦＤＭシンボルに多重化され、これは、所与の数のビームについてのビームスイーピング持続時間を１／２にする。ビームスイーピングのためのＭＲＳシンボルの一例が、図８に示されている。
【００９１】
図８は、いくつかの実施形態による、ビームスイーピングのために使用されるＭＲＳシンボルを示すブロック図である。水平軸は時間を表し、垂直軸は周波数を表す。ＭＲＳ信号設計は、ＴＳＳおよびＢＩＤフィールド（ＴとＢとの連結）と、スイーピングにおける複数のＭＲＳの使用とからなる。同じ送信受信ポイント（ＴＲＰ）からのビームが、同じＴＳＳを使用し得るが、ＢＲＳフィールドは個々のビームを識別する。図示の例は、異なるシェーディングによってマークされた２つのフィールドへの均等なリソース割り当てを示すが、それらは、不均等に割り当てられ得る。
【００９２】
ｌｏｎｇ  ｔｅｒｍ  ｅｖｏｌｕｔｉｏｎ（ＬＴＥ）におけるＰＳＳと概念的に同様のＴＳＳフィールドは、初期タイミング同期のためにＬＴＥにおいて使用されているＺａｄｏｆｆ−Ｃｈｕシーケンスであり得る。ＵＥ探索作業を最小限に抑えるために、単一のシーケンス、または少数のシーケンスが使用され得る。
【００９３】
ＬＴＥにおけるＳＳＳと機能において同様のＢＲＳシーケンスは、擬似ランダムバイナリシーケンス（たとえば、ＭシーケンスまたはＧｏｌｄシーケンス）であり得る。良好な相互相関プロパティをもつ数十から数百のＢＲＳシーケンスが、適応され得る。
【００９４】
ＭＲＳは、全体として、そのビームＩＤと、随意に、関連するセルＩＤとを符号化する。ＢＩＤ＋ＣＩＤセットの全長が２０ビット程度であり得るので、ＢＩＤ＋ＣＩＤセットは、単一メッセージシーケンス変調に好適でないことがある。随意のＣＩＤ情報が、いくつかの可能なやり方で適応され得る。一例が、シーケンス変調されたフィールドとしてＣＩＤを追加する。ＣＩＤ情報は、ＴＳＳ＋ＢＲＳフィールドとは別個だが、スクランブリングを使用する明確な様式でＴＳＳ＋ＢＲＳフィールドにリンクされた、別個のフィールドとして追加される。一例が図９に示されている。
【００９５】
図９は、いくつかの実施形態による、ＭＲＳに関連して送信されるＣＩＤを示すブロック図である。水平軸は時間を表し、垂直軸は周波数を表す。ＣＩＤは、２つの５ビットシーケンス変調されたシーケンスとして、ＭＲＳ（ＴＳＳ／ＢＳＲ）に関連して送信される。ＣＩＤ送信部分（ＣＩＤａおよびＣＩＤｂ）を明確に関連付けるために、ＣＩＤ送信部分は（たとえば、ＭＲＳ識別情報を用いて）スクランブルされる。
【００９６】
過度に長いシーケンスを必要とすることなしにＣＩＤの１０ビットに適応するために、ＣＩＤフィールドは、たとえばＭシーケンスを使用して、別個にシーケンス変調された２つの長さ５のサブフィールド、ＣＩＤａおよびＣＩＤｂに分割され得る。ＣＩＤａおよびＣＩＤｂフィールドは、ＭＲＳ中のＢＩＤから導出されたスクランブリングシーケンスを用いて、周波数領域中でスクランブルされる。したがって、ＵＥは、最初に、時間および周波数領域中のＭＲＳを検出し、次に、スクランブリングシーケンスを抽出し、周波数領域中のＣＩＤａおよびＣＩＤｂフィールドのコンテンツを検出する。検出より前にスクランブリングが削除されるので、ＣＩＤシーケンスの相互相関プロパティは、スクランブリングの悪影響を受けない。この手法は、ビームスイープにおける各ビーム送信の持続時間を単一のシンボルに保つ。
【００９７】
別の例は、従来通りに符号化されたフィールドとして、ＣＩＤを追加することを含む。ＣＩＤ情報は、ＴＳＳ＋ＢＲＳフィールドとは別個だが、従来の変調および符号化を使用した、送信されるＭＲＳビーム中の別個のフィールドとして追加される。一例が図１０に示されている。
【００９８】
図１０は、いくつかの実施形態による、ＭＲＳに関連して送信されるＣＩＤの別の例を示すブロック図である。水平軸は時間を表し、垂直軸は周波数を表す。図示の例では、ＣＩＤは、物理チャネル中で従来通りに符号化されたフィールドとしてＭＲＳ（ＴＳＳ／ＢＳＲ）に関連して送信される。関連するＣＩＤを含んでいる物理チャネルは、ＤＭＲＳ、またはＭＲＳ識別情報から導出されたスクランブリングコードを使用することによって、明確にされ得る。
【００９９】
ＣＩＤフィールドは、ＴＳＳ／ＢＲＳフィールドと同じ単一のシンボル中のリソースエレメント（ＲＥ）を占有する、符号化およびＱＡＭ変調されたシンボルのシーケンスである。ＣＩＤフィールドは、チャネル推定の目的でＤＭＲＳをもつＲＥを含んでおり、図中に黒で示されている。ＣＩＤフィールドの符号化方式およびレートは、十分なリンクバジェットを与えるように適宜に選定される。
【０１００】
ＵＥは、最初に、時間および周波数領域中のＭＲＳを検出し、次に、ＢＩＤに応じたＤＭＲＳシーケンスを抽出し、最後に、チャネルを推定し、ＣＩＤフィールドを復調／復号する。上記のように、この手法は、ビームスイープにおける各ビーム送信の持続時間を単一のシンボルに保つ。
【０１０１】
いくつかの実施形態は、物理ダウンリンクチャネル（ＰＤＣＨ）コンテナを使用して、ＣＩＤを与え得る。ＣＩＤ情報は、ＴＳＳ／ＢＲＳフィールドと同じビームフォーミングを用いて送信される、別個のＰＤＣＨ送信として追加される。一例が図１１に示されている。
【０１０２】
図１１は、いくつかの実施形態による、ＰＤＣＨ中で送信されるＣＩＤを示すブロック図である。水平軸は時間を表す。図示の例では、特定のＭＲＳに関連するＣＩＤは、ＭＲＳ識別情報から導出されたＰＤＣＣＨ／ＰＤＳＣＨ設定を使用して周期的にスケジュールされ得る。このＰＤＣＣＨ／ＰＤＣＨ設定は、関連するＭＲＳと同じビームフォーミングを使用して送信される。
【０１０３】
ＣＩＤフィールドは、ＣＩＤ情報を含んでいる従来のＰＤＣＣＨ／ＰＤＣＨ送信である。ＰＤＣＨコンテナがあらゆるＭＲＳ送信に付随する必要があるとは限らない。ＵＥは、最初に、時間および周波数領域中のＭＲＳを検出する。ＢＩＤ情報は、ＰＤＣＣＨを受信するためのＲＮＴＩのいずれかにマッピングし、これはＰＤＣＨを指す。代替的に、ＢＩＤ情報は、ＰＤＣＨパラメータ（ＲＢ、ＤＭＲＳ、ＭＣＳなど）に直接マッピングし得る。
【０１０４】
いくつかの実施形態は、ＣＩＤ情報を、専用の制御シグナリングを介してＵＥに与える。たとえば、ＵＥは、ＭＲＳによって伝達される可能なＢＩＤとそれらの対応するＣＩＤとの間のマッピングで、前に設定され得る。その場合、ＭＲＳ送信はその元のフォーマットを保ち、ＣＩＤ情報はオーバージエアで伝達されない。この手法は、ＭＲＳ対セルマッピングが低頻度で変わる、ワイドビームの周期的ＭＲＳ送信をもつ展開のための効率的なソリューションである。変化が生じたときはいつでも、ＮＷは、更新されたマッピングでＵＥを再設定する。
【０１０５】
いくつかの実施形態は、ＭＲＳ  ＩＤサブレンジから同じ発信セルを推論する。たとえば、ＭＲＳによって伝達されるＢＩＤビットの所定のセットが、所与の発信セルのためにローカルに一意なものとして割り当てられ、グループＩＤを形成し得る。たとえば、１０ビットＢＩＤ中の４つのＭＳＢは、あるセルから発信したすべてのビームについて同じであり得るが、６つのＬＳＢはビーム固有であり得る。ＢＩＤビットは、ＭＲＳ信号（時間／周波数／ＴＳＳシーケンス／ＢＲＳシーケンス）とＭＲＳ受信時に抽出されるグループＩＤビットとの異なる次元で伝達され得る。ＢＩＤビット中でグループＩＤフィールドを分離する特殊な場合は、ＵＥがＭＲＳ中のＢＩＤビットの残部から分離して受信することができる別個の信号として、グループＩＤフィールドを送信することによるものである。
【０１０６】
いくつかの実施形態は、ＭＲＳ周波数から同じ発信セルを推論する。たとえば、局所近傍にある各セルが、ＭＲＳ送信のために異なった周波数サブバンドを割り当てられる。その場合、あるサブバンド中で検出されるすべてのＭＲＳが、同じセルから発信すると仮定され得る。
【０１０７】
ＭＲＳは、しばしばナロービーム中で送信され、より動的に設定される。他のＡＭＭ参照信号の実施形態では、ＢＲＳは、ＴＳＳのような専用の同期フィールドが付随しないことがあるが、同期ソースとしてＳＳを使用する。
【０１０８】
以下は、例示的なＡＭＭ  ＲＳ設定である（すなわち、接続モードＵＥが測定するように設定され得る信号、および実施すべき動作）。一例では、接続されたＵＥがセルレベルＲＲＭ測定を実施することができるように、（アイドルモード動作のために主に使用される）同期信号（ＳＳ）の非ビームフォーミング（または、ワイドビーム中でのビームフォーミング）送信が設定される。
【０１０９】
ネットワークは、データがスケジュールされず、高利得ビームフォーミングが使用されない、測定、送信、またはビームフォーミングギャップをも設定し得る。この設定において、ＵＥはまた、これらの信号に基づいてハンドオーバを実施する（すなわち、ＵＥは、受信されたＰＲＡＣＨ設定へのダウンリンク同期参照として、ＳＳを使用する）。その設定は、非ビームフォーミング信号とデータチャネルとを同時に検出することが問題ではない、より低い周波数バンドにおいて使用され得る。より高い周波数バンドでは、トラフィックが極めてバースト的であり、および／または、モビリティをサポートするための信号の周期性が頻繁であることが必要とされず、その結果、測定／ビームフォーミングギャップの導入がデータレートを著しく劣化させるとき、ネットワークは、同じく、その設定を使用することができる。ＵＥは、アイドルモード動作をサポートする信号（たとえば、キャリア周波数の固定位置）を自律的に見つけ得るので、ＵＥは、かなりの量の設定を必要としない。
【０１１０】
一例が図１２に示されている。図１２は、特定の実施形態による、ワイドビーム中で送信されるアイドルモードと接続モードの両方をサポートする信号の一例である。
【０１１１】
別の例では、ＵＥが、異なるビームに関するフィルタ処理された測定値に基づいてセルベースＲＲＭ測定を実施するように、（アイドルモード動作のために主に使用される）同期信号（ＳＳ）のビームスイープ送信が設定される（たとえば、モビリティイベントをトリガするための基準として同じビームの複数のオケージョンを平均化するか、または同じスイーピング間隔で検出され得る複数のビームを平均化する）。この例は、たとえば、ＰＲＡＣＨカバレッジを改善するために、アイドルモード信号がビームフォーミングされる、より高い周波数において使用され得る。ＵＥは、同期収集および／またはＲＲＭ測定を実施することの両方のために、接続モード動作のための信号を再利用し得る。信号がビームフォーミングされるやり方に応じて、ＵＥは、測定ギャップを設定する必要があり得る。ネットワークは、最初に、ギャップが必要とされると仮定し、第１の報告の受信時に、ギャップがなければＵＥを再設定し得る。
【０１１２】
一例が図１３に示されている。図１３は、特定の実施形態による、ナロービーム中で送信されるアイドルモードと接続モードの両方をサポートする信号の一例である。ネットワークは、接続モードでのＲＲＭ測定に専用のビームフォーミングギャップを設定する必要がないことがある。
【０１１３】
別の例は、ＵＥが、異なるビームに関するフィルタ処理された測定値に基づいてビームベースＲＲＭ測定を実施するような、モビリティ基準信号（ＭＲＳ）およびまたはビームＩＤを搬送する任意の他のビーム固有参照信号（ＢＲＳ）のビームスイープ送信を含む（たとえば、モビリティイベントをトリガするための基準として同じビームの複数のオケージョンを平均化するか、または同じスイーピング間隔で検出され得る複数のビームを平均化する）。これらの信号は、ＵＥが測定ギャップを必要としないようなやり方で、ビームフォーミングされ得る。これらの信号はまた、ハンドオーバコマンドが、ダウンリンク参照に関連する固有のビームＩＤと固有のＰＲＡＣＨリソースとを与えられるとき、ハンドオーバのためのビームベースダウンリンク同期参照として使用され得る。ビームベースハンドオーバは、ネットワークが極めて負荷がかかっており、ハンドオーバが、それほど負荷がかかっていないことがある固有のビームのためのターゲットによって受け入れられるとき、有用であり得る。
【０１１４】
一例が図１４に示されている。図１４は、特定の実施形態による、ナロービーム中で送信される接続モードをサポートする信号のあるグループと、ワイドビーム中で送信されるアイドルモードをサポートする信号の別のグループとの一例である。
【０１１５】
別の例では、ビームＩＤとセルＩＤとを搬送するモビリティ参照信号（ＭＲＳ）のビームスイープ送信が、セルごとにビームグループを形成する。ＵＥは、異なるビームに関するフィルタ処理された測定値に基づいてセルレベルＲＲＭ測定を実施するように設定され得る（たとえば、モビリティイベントをトリガするための基準として同じビームの複数のオケージョンを平均化するか、または同じスイーピング間隔で検出され得る複数のビームを平均化する）。ただし、ネットワークは、ハンドオーバのために２つの異なるやり方でＭＲＳを使用するフレキシビリティを有する。あるやり方では、ＵＥは、ターゲットセルＩＤをもつハンドオーバコマンドを受信し、ＵＥは、ビームのうちのいずれにもアクセスすることができる。別のやり方では、ＵＥは、ターゲットセル中の特定のビームをもつハンドオーバコマンドを受信する。
【０１１６】
一例が図１５に示されている。図１５は、特定の実施形態による、ナロービーム中で送信される接続モードをサポートする信号のあるグループと、ワイドビーム中で送信されるアイドルモードをサポートする信号の別のグループとの別の例である。
【０１１７】
いくつかの実施形態は、異なる展開およびシナリオのための追加の設定を含む。特定の設定の詳細を無視すると、多くの可能な設定が、設定の以下のクラスに分類され得る。（ａ）測定ギャップを用いた、セルレベルＡＭＭ測定のために使用されるＳＳの非ビームフォーミング送信、（ｂ）測定ギャップを用いない、ビームレベルＡＭＭ測定のために使用されるＳＳのビームスイープ送信、（ｃ）（測定ギャップを用いた）ワイドビームの、ＡＭＭ測定のために使用される半永続的に設定されたＭＲＳ、（ｄ）（測定ギャップを用いない）ナロービームの、ＡＭＭ測定のために使用される半永続的に設定されたＭＲＳ、および（ｅ）ＡＭＭ測定のために使用される、動的にアクティブ化されたＵＥ固有ＭＲＳ。
【０１１８】
ＡＭＭ  ＲＳ設定を選択するときに考慮され得る展開／シナリオ要因のいくつかの例は、周波数バンド（サブ６ＧＨｚ、６〜１５ＧＨｚ、２８〜６０ＧＨｚなど）またはキャリア周波数、サイト展開タイプ（マクロ／ピコ）、予想されるモビリティ特質（屋外／屋内、都市／郊外／地方）、計画されたユーザ密度、および現在システム内にいるユーザの数である。異なるモード間の選定は、いくつかの態様および展開／シナリオ要因を考慮する組み合わせられた選好に基づいて行われ得る。いくつかの可能なそのような態様のリストは、以下を含む。（ａ）ナローバンドＳＳ対よりワイドなバンドのＭＲＳ：周波数フェージングをキャプチャするための中間分散（ｍｅｄｉｕｍ−ｄｉｓｐｅｒｓｉｏｎ）展開の場合、ＭＲＳを選好し、また、カバレッジ限度が懸念であり、ビームスイーピングが最小限に抑えられるべきである場合、（追加の電力ブースティングなしのよりワイドなバンド幅におけるより多くの電力により）ＭＲＳを選好する、（ｂ）長周期ＳＳ対より短い周期のＭＲＳ：必要とされるＡＭＭハンドオーバレイテンシを保証するために、または（たとえば、高周波数バンド展開における）迅速なＡＭＭプロシージャトリガを保証するために、高モビリティ展開においてＭＲＳを選好する、（ｃ）ビームフォーミングされたデータを受信する（またはそのデータに露出されている）間にＡＭＭ  ＲＳを検出／測定することが可能であること対測定ギャップを必要とすること：中程度のデータＢＦをもつ展開においてＳＳを選好し、積極的なデータＢＦをもつ展開においてＭＲＳを選好する、（ｄ）スイープされたＡＭＭ  ＲＳ対全／セクタＡＭＭ  ＲＳ：（ダイナミックレンジ問題を回避するために）データが重度にビームフォーミングされるとき、およびビームレベルモビリティ測定が必要とされるとき、スイープされたＲＳを選好する、（ｅ）周期的ＭＲＳ対オンデマンド専用ＭＲＳ：より多くのユーザ、よりワイドなビームの場合、周期的ＭＲＳを選好し、より少数のユーザ、よりナローなビームの場合、オンデマンドＭＲＳを選好する。
【０１１９】
特定の実施形態では、ＡＭＭ設定は、低頻度で（たとえば、ネットワークレイアウトまたはアイドルモード信号設定が変更されたときに）実施され得る。代替的に、ＡＭＭ設定は、（たとえば、システム中のＵＥの変わる数に応答して）かなり動的に変更され得る。
【０１２０】
選択されたＡＭＭ設定は、異なる地理的地域において、または、異種ネットワーク展開の異なるレイヤにおいて異なり得る。しかしながら、同等の候補リンク品質メトリックをロバストに保証するために、設定は、セルの大きいグループについて共通であり、セルごとに割り当てられないことがある。
【０１２１】
無線デバイスにおいて実施される特定の実施形態は、図１６によって一般化され得る。ネットワークノードにおいて実施される特定の実施形態は、図１７によって一般化され得る。
【０１２２】
図１６は、いくつかの実施形態による、無線デバイスにおける例示的な方法を示す流れ図である。特定の実施形態では、図１６の１つまたは複数のステップは、図７に関して説明された無線ネットワーク１００の無線デバイス１１０によって実施され得る。
【０１２３】
方法は、ステップ１６１２において開始し、ネットワークノードが、接続モードでモビリティ信号を測定するための測定設定を取得する。測定設定は参照信号タイプを含む。参照信号タイプは、複数の可能な参照信号タイプのうちの参照信号の特定のタイプを示す。たとえば、接続モード無線デバイス１１０は、ネットワークノード１２０から測定設定を含むシグナリングを受信し得る。測定設定は、測定設定の一部として参照信号タイプ（たとえば、ＰＳＳ、ＳＳＳ、ＤＭＲＳ、ＣＳＩ−ＲＳなど）を含み得る。
【０１２４】
複数の可能な参照信号タイプは、アクティブモードモビリティ信号（ＭＲＳ）（たとえば、ＣＳＩ−ＲＳなど）と、アイドルモード同期信号（たとえば、ＰＳＳ、ＳＳＳ、ＤＭＲＳなど）とを含み得る。無線デバイスは、図７〜図１５に関して上記で説明された実施形態または例のうちのいずれかに従って、測定設定を取得し得る。
【０１２５】
ステップ１６１４において、無線デバイスは、示された参照信号タイプの参照信号を測定するようにそれ自体を設定する。たとえば、無線デバイス１１０は、図７〜図１５に関して上記で説明された実施形態または例のうちのいずれかに従って、ナローバンド参照信号またはワイドバンド同期信号を測定するように、それ自体を設定し得る。
【０１２６】
ステップ１６１６において、無線デバイスは、示された参照信号タイプの参照信号を受信する。たとえば、無線デバイス１１０は、図７〜図１５に関して上記で説明された実施形態または例のうちのいずれかに従って、参照信号（たとえば、ＤＭＲＳまたはアイドルモード信号、ナローバンド、ワイドバンドなど）を受信し得る。
【０１２７】
ステップ１６１８において、無線デバイスは、測定設定に従って参照信号を測定する。たとえば、無線デバイス１１０は、図７〜図１５に関して上記で説明された実施形態または例のうちのいずれかに従って、参照信号を測定し得る。
【０１２８】
ステップ１６２０において、無線デバイスは、受信された参照信号に基づく測定報告をネットワークノードに送る。たとえば、無線デバイス１１０は、図７〜図１５に関して上記で説明された実施形態または例のうちのいずれかに従って、測定報告をネットワークノード１２０に送る。
【０１２９】
ステップ１６２２において、無線デバイスはハンドオーバを実施する。たとえば、無線デバイス１１０は、測定の結果に基づいてハンドオーバを実施し得る。
【０１３０】
図１６に示されている方法１６００に対して修正、追加、または省略が行われ得る。さらに、方法１６００における１つまたは複数のステップは、並列にまたは任意の好適な順序で実施され得る。
【０１３１】
図１７は、いくつかの実施形態による、ネットワークノードにおける例示的な方法を示す流れ図である。特定の実施形態では、図１７の１つまたは複数のステップは、図７に関して説明された無線ネットワーク１００のネットワークノード１２０によって実施され得る。
【０１３２】
方法は、ステップ１７１２において開始し、ネットワークノードが、接続モードでモビリティ信号を測定するための測定設定を取得する。測定設定は、複数の可能な参照信号タイプのうちの参照信号タイプを含む。たとえば、ネットワークノード１２０は測定設定を取得し得る。測定設定は、測定設定の一部として参照信号タイプ（たとえば、ＰＳＳ、ＳＳＳ、ＤＭＲＳ、ＣＳＩ−ＲＳなど）を含み得る。
【０１３３】
複数の可能な参照信号タイプは、アクティブモードモビリティ信号（ＭＲＳ）（たとえば、ＣＳＩ−ＲＳなど）と、アイドルモード同期信号（たとえば、ＰＳＳ、ＳＳＳ、ＤＭＲＳなど）とを含み得る。無線デバイスは、図７〜図１５に関して上記で説明された実施形態または例のうちのいずれかに従って、測定設定を取得し得る。
【０１３４】
ステップ１７１４において、ネットワークノードは、測定設定を無線デバイスに送信する。たとえば、ネットワークノード１２０は、図７〜図１５に関して上記で説明された実施形態または例のうちのいずれかに従って、測定設定を無線デバイス１１０にシグナリングし得る。
【０１３５】
ステップ１７１６において、ネットワークノードは、示された参照信号タイプの参照信号を送信する。たとえば、ネットワークノード１２０は参照信号を送信し得る。無線デバイス１１０は参照信号を受信し得る。ネットワークノード１２０は、図７〜図１５に関して上記で説明された実施形態または例のうちのいずれかに従って、参照信号を送信し得る。
【０１３６】
ステップ１７１８において、ネットワークノードは、無線デバイスから測定報告を受信する。たとえば、ネットワークノード１２０は、無線デバイス１１０から、測定された参照信号に基づく測定報告を受信し得る。
【０１３７】
ステップ１７２０において、ネットワークノードは、無線デバイスのためにハンドオーバを実施し得る。たとえば、ネットワークノード１２０ａは、受信された測定報告に基づいて、無線デバイス１１０をネットワークノード１２０ｂにハンドオーバし得る。
【０１３８】
図１７に示されている方法１７００に対して修正、追加、または省略が行われ得る。さらに、方法１７００における１つまたは複数のステップは、並列にまたは任意の好適な順序で実施され得る。
【０１３９】
図１８Ａは、無線デバイスの例示的な実施形態を示すブロック図である。無線デバイスは、図７に示されている無線デバイス１１０の一例である。特定の実施形態では、無線デバイスは、無線ネットワークにおけるモビリティについての無線リソース管理（ＲＲＭ）測定を実施することが可能である。無線デバイスは、接続モードでモビリティ信号を測定するための測定設定を取得することが可能である。測定設定は参照信号タイプを含む。参照信号タイプは、複数の可能な参照信号タイプ（たとえば、ＰＳＳ、ＳＳＳ、ＤＭＲＳ、ＣＳＩ−ＲＳ）のうちの参照信号の特定のタイプを示す。無線デバイスは、示されたタイプの参照信号を測定するように無線デバイスを設定することと、示されたタイプの参照信号を受信することと、測定設定に従って参照信号を測定することとが可能である。
【０１４０】
無線デバイスの特定の例は、モバイルフォン、スマートフォン、ＰＤＡ（携帯情報端末）、ポータブルコンピュータ（たとえば、ラップトップ、タブレット）、センサー、モデム、マシン型（ＭＴＣ）デバイス／マシンツーマシン（Ｍ２Ｍ）デバイス、ラップトップ埋込み機器（ＬＥＥ）、ラップトップ搭載機器（ＬＭＥ）、ＵＳＢドングル、デバイスツーデバイス対応デバイス、車両間デバイス、または無線通信を与えることができる任意の他のデバイスを含む。無線デバイスは、トランシーバ１１１０と、処理回路要素１１２０と、メモリ１１３０と、電源１１４０とを含む。いくつかの実施形態では、トランシーバ１１１０は、（たとえば、アンテナを介して）無線信号を無線ネットワークノード１２０に送信すること、および無線信号を無線ネットワークノード１２０から受信することを容易にし、処理回路要素１１２０は、無線デバイスによって与えられるものとして本明細書で説明される機能性の一部または全部を与えるための命令を実行し、メモリ１１３０は、処理回路要素１１２０によって実行される命令を記憶する。電源１１４０は、トランシーバ１１１０、処理回路要素１１２０、および／またはメモリ１１３０など、無線デバイス１１０の構成要素のうちの１つまたは複数に電力を供給する。
【０１４１】
処理回路要素１１２０は、無線デバイスの説明される機能の一部または全部を実施するために命令を実行し、データを操作するための、１つまたは複数の集積回路またはモジュールにおいて実装されたハードウェアとソフトウェアの任意の好適な組合せを含む。いくつかの実施形態では、処理回路要素１１２０は、たとえば、１つまたは複数のコンピュータ、１つまたは複数のプログラマブル論理デバイス、１つまたは複数の中央処理ユニット（ＣＰＵ）、１つまたは複数のマイクロプロセッサ、１つまたは複数のアプリケーション、および／または他の論理、ならびに／あるいは前述の任意の好適な組合せを含み得る。処理回路要素１１２０は、無線デバイス１１０の説明される機能の一部または全部を実施するように設定されたアナログおよび／またはデジタル回路要素を含み得る。たとえば、処理回路要素１１２０は、抵抗器、キャパシタ、インダクタ、トランジスタ、ダイオード、および／または任意の他の好適な回路構成要素を含み得る。
【０１４２】
メモリ１１３０は、概して、コンピュータ実行可能コードおよびデータを記憶するように動作可能である。メモリ１１３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１４３】
電源１１４０は、概して、無線デバイス１１０の構成要素に電力を供給するように動作可能である。電源１１４０は、リチウムイオン、リチウム空気、リチウムポリマー、ニッケルカドミウム、ニッケル金属水素化物、または無線デバイスに電力を供給するための任意の他の好適なタイプのバッテリーなど、任意の好適なタイプのバッテリーを含み得る。
【０１４４】
無線デバイスの他の実施形態は、上記で説明された機能性および／または（上記で説明されたソリューションをサポートするのに必要な任意の機能性を含む）任意の追加の機能性のうちのいずれかを含む、無線デバイスの機能性のいくつかの態様を与えることを担当する（図１８Ａに示されている構成要素以外の）追加の構成要素を含み得る。
【０１４５】
図１８Ｂは、無線デバイス１１０の例示的な構成要素を示すブロック図である。構成要素は、取得モジュール１１５０と、受信モジュール１１５２と、送信モジュール１１５４と、測定モジュール１１５６とを含み得る。
【０１４６】
取得モジュール１１５０は、無線デバイス１１０の取得機能を実施し得る。たとえば、取得モジュール１１５０は、上記の実施形態または例のうちのいずれか（たとえば、図１６のステップ１６１２）において説明されたように、ネットワークノードから、接続モードでモビリティ信号を測定するための測定設定を取得し得る。いくつかの実施形態では、取得モジュール１１５０は、処理回路要素１１２０を含むか、または処理回路要素１１２０中に含まれ得る。特定の実施形態では、取得モジュール１１５０は、受信モジュール１１５２、送信モジュール１１５４、および測定モジュール１１５６と通信し得る。
【０１４７】
受信モジュール１１５２は、無線デバイス１１０の受信機能を実施し得る。たとえば、受信モジュール１１５２は、上記の実施形態または例のうちのいずれか（たとえば、図１６のステップ１６１６）において説明されたように、ネットワークノードから、参照信号を受信し得る。いくつかの実施形態では、受信モジュール１１５２は、処理回路要素１１２０を含むか、または処理回路要素１１２０中に含まれ得る。特定の実施形態では、受信モジュール１１５２は、取得モジュール１１５０、送信モジュール１１５４、および測定モジュール１１５６と通信し得る。
【０１４８】
送信モジュール１１５４は、無線デバイス１１０の送信機能を実施し得る。たとえば、送信モジュール１１５４は、上記で説明された例のうちのいずれか（たとえば、図１６のステップ１６２０）に従って、測定報告を送信し得る。いくつかの実施形態では、送信モジュール１１５４は、処理回路要素１１２０を含むか、または処理回路要素１１２０中に含まれ得る。特定の実施形態では、送信モジュール１１５４は、取得モジュール１１５０、受信モジュール１１５２、および測定モジュール１１５６と通信し得る。
【０１４９】
測定モジュール１１５６は、無線デバイス１１０の測定機能を実施し得る。たとえば、測定モジュール１１５６は、上記で説明された例のうちのいずれか（たとえば、図１６のステップ１６１８）に従って、参照信号を測定し得る。いくつかの実施形態では、測定モジュール１１５６は、処理回路要素１１２０を含むか、または処理回路要素１１２０中に含まれ得る。特定の実施形態では、測定モジュール１１５６は、取得モジュール１１５０、受信モジュール１５５２、および送信モジュール１１５４と通信し得る。
【０１５０】
図１９Ａは、ネットワークノードの例示的な実施形態を示すブロック図である。ネットワークノードは、図７に示されているネットワークノード１２０の一例である。特定の実施形態では、ネットワークノードは、無線ネットワークにおけるモビリティについての参照信号を測定するように無線デバイスを設定することが可能である。ネットワークノードは、接続モードでモビリティ信号を測定するための測定設定を取得することが可能である。測定設定は参照信号タイプを含む。参照信号タイプは、複数の可能な参照信号タイプのうちの参照信号の特定のタイプを示す。ネットワークノードは、測定設定を無線デバイスに送信することと、示された参照信号タイプの参照信号を送信することとが可能である。
【０１５１】
ネットワークノード１２０は、ｅノードＢ、ノードＢ、ｇＮＢ、基地局、無線アクセスポイント（たとえば、Ｗｉ−Ｆｉアクセスポイント）、低電力ノード、基地トランシーバ局（ＢＴＳ）、送信ポイントまたはノード、リモートＲＦユニット（ＲＲＵ）、リモート無線ヘッド（ＲＲＨ）、または他の無線アクセスノードであり得る。ネットワークノードは、少なくとも１つのトランシーバ１２１０と、少なくとも１つの処理回路要素１２２０と、少なくとも１つのメモリ１２３０と、少なくとも１つのネットワークインターフェース１２４０とを含む。トランシーバ１２１０は、（たとえば、アンテナを介して）無線信号を無線デバイス１１０などの無線デバイスに送信すること、および無線信号を無線デバイスから受信することを容易にし、処理回路要素１２２０は、ネットワークノード１２０によって与えられているものとして上記で説明された機能性の一部または全部を与えるための命令を実行し、メモリ１２３０は、処理回路要素１２２０によって実行される命令を記憶し、ネットワークインターフェース１２４０は、ゲートウェイ、スイッチ、ルータ、インターネット、公衆交換電話網（ＰＳＴＮ）、コントローラ、および／または他のネットワークノード１２０など、バックエンドネットワーク構成要素に信号を通信する。処理回路要素１２２０およびメモリ１２３０は、上記の図１８Ａの処理回路要素１１２０およびメモリ１１３０に関して説明されたのと同じタイプものであり得る。
【０１５２】
いくつかの実施形態では、ネットワークインターフェース１２４０は、処理回路要素１２２０に通信可能に結合され、ネットワークノード１２０のための入力を受信するか、ネットワークノード１２０からの出力を送るか、入力または出力あるいはその両方の好適な処理を実施するか、他のデバイスに通信するか、または前述の任意の組合せを行うように動作可能な任意の好適なデバイスを指す。ネットワークインターフェース１２４０は、ネットワークを通して通信するために、適切なハードウェア（たとえば、ポート、モデム、ネットワークインターフェースカードなど）と、プロトコルコンバージョン能力およびデータ処理能力を含むソフトウェアとを含む。
【０１５３】
ネットワークノード１２０の他の実施形態は、上記で説明された機能性および／または（上記で説明されたソリューションをサポートするのに必要な任意の機能性を含む）任意の追加の機能性のうちのいずれかを含む、ネットワークノードの機能性のいくつかの態様を与えることを担当する（図１９Ａに示されている構成要素以外の）追加の構成要素を含む。様々な異なるタイプのネットワークノードは、同じ物理ハードウェアを有するが（たとえば、プログラミングを介して）異なる無線アクセス技術をサポートするように設定された構成要素を含み得るか、あるいは部分的にまたは完全に異なる物理的構成要素を表し得る。
【０１５４】
図１９Ｂは、ネットワークノード１２０の例示的な構成要素を示すブロック図である。構成要素は、取得モジュール１２５０と、決定モジュール１２５２と、送信モジュール１２５４と、受信モジュール１２５６とを含み得る。
【０１５５】
取得モジュール１２５０は、ネットワークノード１２０の取得機能を実施し得る。たとえば、取得モジュール１２５０は、上記の実施形態または例のうちのいずれか（たとえば、図１７のステップ１７１２）において説明されたように、測定設定を取得し得る。いくつかの実施形態では、取得モジュール１２５０は、処理回路要素１２２０を含むか、または処理回路要素１１２０中に含まれ得る。特定の実施形態では、取得モジュール１２５０は、決定モジュール１２５２、送信モジュール１２５４、および受信モジュール１２５６と通信し得る。
【０１５６】
決定モジュール１２５２は、ネットワークノード１２０の決定機能を実施し得る。たとえば、決定モジュール１２５２は、アクティブモードモビリティ測定のためにどのタイプの参照信号を無線デバイス１１０に送るべきかを決定し得る。いくつかの実施形態では、決定モジュール１２５２は、処理回路要素１２２０を含むか、または処理回路要素１２２０中に含まれ得る。特定の実施形態では、決定モジュール１２５２は、取得モジュール１２５０、送信モジュール１２５４、および受信モジュール１２５６と通信し得る。
【０１５７】
送信モジュール１２５４は、ネットワークノード１２０の送信機能を実施し得る。たとえば、送信モジュール１２５４は、上記で説明された例のうちのいずれか（たとえば、図１７のステップ１７１４および１７１６）に従って、参照信号および測定設定を送信し得る。いくつかの実施形態では、送信モジュール１２５４は、処理回路要素１２２０を含むか、または処理回路要素１２２０中に含まれ得る。特定の実施形態では、送信モジュール１２５４は、取得モジュール１２５０、決定モジュール１２５２、および受信モジュール１２５６と通信し得る。
【０１５８】
受信モジュール１２５６は、ネットワークノード１２０の受信機能を実施し得る。たとえば、受信モジュール１２５６は、上記の実施形態または例のうちのいずれか（たとえば、図１７のステップ１７１２）において説明されたように、無線デバイスから、測定報告を受信し得る。いくつかの実施形態では、受信モジュール１２５６は、処理回路要素１２２０を含むか、または処理回路要素１２２０中に含まれ得る。特定の実施形態では、受信モジュール１２５６は、取得モジュール１２５０、決定モジュール１２５２、および送信モジュール１２５４と通信し得る。
【０１５９】
図２０Ａは、いくつかの実施形態による、例示的なコアネットワークノード３２０のブロック概略図である。特定の実施形態では、コアネットワークノードは、ネットワークノードに、測定設定を送ることが可能である。
【０１６０】
コアネットワークノードの例は、モバイルスイッチングセンタ（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）、アクセスおよびモビリティ管理機能（ＡＭＦ）などを含むことができる。コアネットワークノードは、処理回路要素６２０と、メモリ６３０と、ネットワークインターフェース６４０とを含む。いくつかの実施形態では、処理回路要素６２０は、ネットワークノードによって与えられているものとして上記で説明された機能性の一部または全部を与えるための命令を実行し、メモリ６３０は、処理回路要素６２０によって実行される命令を記憶し、ネットワークインターフェース６４０は、ゲートウェイ、スイッチ、ルータ、インターネット、公衆交換電話網（ＰＳＴＮ）、ネットワークノード１２０、無線ネットワークコントローラまたはコアネットワークノード３２０など、任意の好適なノードに信号を通信する。
【０１６１】
処理回路６２０は、コアネットワークノードの説明される機能の一部または全部を実施するために命令を実行し、データを操作するための、１つまたは複数のモジュールにおいて実装されたハードウェアとソフトウェアの任意の好適な組合せを含み得る。いくつかの実施形態では、処理回路６２０は、たとえば、１つまたは複数のコンピュータ、１つまたは複数の中央処理ユニット（ＣＰＵ）、１つまたは複数のマイクロプロセッサ、１つまたは複数のアプリケーション、および／または他の論理を含み得る。
【０１６２】
メモリ６３０は、概して、コンピュータプログラム、ソフトウェア、論理、ルール、アルゴリズム、コード、テーブルなどのうちの１つまたは複数を含むアプリケーション、および／またはプロセッサによって実行されることが可能な他の命令など、命令を記憶するように動作可能である。メモリ６３０の例は、コンピュータメモリ（たとえば、ランダムアクセスメモリ（ＲＡＭ）または読取り専用メモリ（ＲＯＭ））、大容量記憶媒体（たとえば、ハードディスク）、リムーバブル記憶媒体（たとえば、コンパクトディスク（ＣＤ）またはデジタルビデオディスク（ＤＶＤ））、ならびに／あるいは情報を記憶する任意の他の揮発性または不揮発性、非一時的コンピュータ可読および／またはコンピュータ実行可能メモリデバイスを含む。
【０１６３】
いくつかの実施形態では、ネットワークインターフェース６４０は、処理回路要素６２０に通信可能に結合され、ネットワークノードのための入力を受信するか、ネットワークノードからの出力を送るか、入力または出力あるいはその両方の好適な処理を実施するか、他のデバイスに通信するか、または前述の任意の組合せを行うように動作可能な任意の好適なデバイスを指し得る。ネットワークインターフェース６４０は、ネットワークを通して通信するために、適切なハードウェア（たとえば、ポート、モデム、ネットワークインターフェースカードなど）と、プロトコルコンバージョン能力およびデータ処理能力を含むソフトウェアとを含み得る。
【０１６４】
ネットワークノードの他の実施形態は、上記で説明された機能性および／または（上記で説明されたソリューションをサポートするのに必要な任意の機能性を含む）任意の追加の機能性のうちのいずれかを含む、ネットワークノードの機能性のいくつかの態様を与えることを担当し得る、図２０Ａに示されている構成要素以外の追加の構成要素を含み得る。
【０１６５】
図２０Ｂは、コアネットワークノード３２０の例示的な構成要素を示すブロック図である。構成要素は、受信モジュール１３５０と送信モジュール１３５２とを含み得る。
【０１６６】
受信モジュール１３５０は、コアネットワークノード３２０の受信機能を実施し得る。いくつかの実施形態では、受信モジュール１３５０は、処理回路要素６２０を含むか、または処理回路要素６２０中に含まれ得る。特定の実施形態では、受信モジュール１３５０は、送信モジュール１３５２と通信し得る。
【０１６７】
送信モジュール１３５２は、コアネットワークノード３２０の送信機能を実施し得る。たとえば、送信モジュール１３５２は、上記で説明された例のうちのいずれかに従って、測定設定をネットワークノードに送信し得る。いくつかの実施形態では、送信モジュール１３５２は、処理回路要素６２０を含むか、または処理回路要素６２０中に含まれ得る。特定の実施形態では、送信モジュール１３５２は、受信モジュール１３５０と通信し得る。
【０１６８】
本開示のいくつかの実施形態は、１つまたは複数の技術的利点を与え得る。いくつかの実施形態は、これらの利点の一部、これらの利点ではないもの、またはこれらの利点の全部から恩恵を受け得る。他の技術的利点は、当業者によって容易に確認され得る。たとえば、いくつかの実施形態は、必要とされるアクティブモードモビリティ（ＡＭＭ）性能レベルを維持しながら、リソース使用が効率的であるように、展開および使用シナリオパラメータに応じて、ＡＭＭ参照信号（ＲＳ）および測定を設定することを容易にする。
【０１６９】
本開示はいくつかの実施形態に関して説明されたが、実施形態の改変および置換は当業者に明らかである。いくつかの実施形態がいくつかの無線アクセス技術に関して説明されたが、ｌｏｎｇ  ｔｅｒｍ  ｅｖｏｌｕｔｉｏｎ（ＬＴＥ）、ＬＴＥアドバンスト、ＮＲ、ＵＭＴＳ、ＨＳＰＡ、ＧＳＭ、ｃｄｍａ２０００、ＷｉＭａｘ、ＷｉＦｉなど、任意の好適な無線アクセス技術（ＲＡＴ）または無線アクセス技術の組合せが使用され得る。したがって、実施形態の上記の説明は、本開示を制約しない。他の変更、置換、および改変が、本開示の趣旨および範囲から逸脱することなく可能である。
【０１７０】
略語：
３ＧＰＰ  第３世代パートナーシッププロジェクト
ＡＩＴ  アクセス情報テーブル
ＡＮＲ  自動ネイバー関係
ＣＡ  キャリアアグリゲーション
ＣＣ  コンポーネントキャリア
ＣＲＳ  セル固有参照信号
Ｄ２Ｄ  デバイスツーデバイス
ＤＲＳ  発見参照信号
ＤＴＸ  間欠送信
ｅＮＢ  エボルブドノードＢ
ｅノードＢ  エボルブドノードＢ
ＦＤＤ  周波数分割複信
ＬＴＥ  Ｌｏｎｇ−Ｔｅｒｍ  Ｅｖｏｌｕｔｉｏｎ
ＭＩＢ  マスタ情報ブロック
ＭＲＳ  モビリティ参照信号
ＭＴＣ  マシン型通信
ＮＲ  新しい無線
ＰＢＣＨ  物理ブロードキャストチャネル
ＰＣＣ  プライマリコンポーネントキャリア
ＰＣｅｌｌ  プライマリセル
ＲＡＴ  無線アクセス技術
ＲＢＳ  無線基地局
ＲＲＣ  無線リソース制御
ＲＲＭ  無線リソース測定
ＲＳＲＰ  参照信号受信電力
ＲＳＲＱ  参照信号受信品質
ＳＣＣ  セカンダリコンポーネントキャリア
ＳＣｅｌｌ  セカンダリセル
ＳＦＮ  単一周波数ネットワーク
ＳＩＮＲ  信号対干渉雑音比
ＴＤＤ  時分割複信
ＴＲＰ  送信／受信ポイント
ＵＥ  ユーザ機器
ＵＭＴＳ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ
【図１】
2019537903.tif 000003
【図２】
2019537903.tif 000004
【図３】
2019537903.tif 000005
【図４】
2019537903.tif 000006
【図５】
2019537903.tif 000007
【図６】
2019537903.tif 000008
【図７】
2019537903.tif 000009
【図８】
2019537903.tif 000010
【図９】
2019537903.tif 000011
【図１０】
2019537903.tif 000012
【図１１】
2019537903.tif 000013
【図１２】
2019537903.tif 000014
【図１３】
2019537903.tif 000015
【図１４】
2019537903.tif 000016
【図１５】
2019537903.tif 000017
【図１６】
2019537903.tif 000018
【図１７】
2019537903.tif 000019
【図１８Ａ】
2019537903.tif 000020
【図１８Ｂ】
2019537903.tif 000021
【図１９Ａ】
2019537903.tif 000022
【図１９Ｂ】
2019537903.tif 000023
【図２０Ａ】
2019537903.tif 000024
【図２０Ｂ】
2019537903.tif 000025
【国際調査報告】
2019537903.tif 000026
2019537903.tif 000027
2019537903.tif 000028
2019537903.tif 000029